(57)【要約】【課題】操作性が改善された多芯式筆記具を提供する。【解決手段】本発明は、軸筒２ａと、軸筒２ａの径方向中心部において軸筒２ａ内に配設された第１筆記体３ａと、第１筆記体３ａよりも軸筒２ａの径方向外側において軸筒２ａ内に配設された少なくとも二本の第２筆記体４ａと、第１筆記体３ａの後端に配設され、第１筆記体３ａを軸筒２ａの前端から選択的に突出させるように構成された第１ノック部材５ａと、第２筆記体４ａの後端に配設され、第２筆記体４ａを軸筒２ａの前端から選択的に突出させるように構成された第２ノック部材６ａとを備える、多芯式筆記具１ａにおいて、第１筆記体３ａの突出が第１ノック部材５ａの操作によって解除されることを特徴とする、多芯式筆記具１ａを提供する。【選択図】図２
2018199343.tif 000002
【特許請求の範囲】
【請求項１】
軸筒と、
前記軸筒の径方向中心部において該軸筒内に配設された第１筆記体と、
前記第１筆記体よりも前記軸筒の径方向外側において前記軸筒内に配設された少なくとも二本の第２筆記体と、
前記第１筆記体の後端に配設され、前記第１筆記体を前記軸筒の前端から選択的に突出させるように構成された第１ノック部材と、
前記第２筆記体の後端に配設され、前記第２筆記体を前記軸筒の前端から選択的に突出させるように構成された第２ノック部材と
を備える、多芯式筆記具において、
前記第１筆記体の突出が前記第１ノック部材の操作によって解除されることを特徴とする、多芯式筆記具。
【発明の詳細な説明】
【技術分野】
【０００１】
本発明は、複数の筆記体を備える多芯式筆記具に関する。
【背景技術】
【０００２】
従来、特許文献１に開示されるように、複数の筆記体を備える多芯式筆記具が知られている。多芯式筆記具では、複数の筆記体のうちの一つを軸筒の前端から選択的に突出させることによって筆記を行う。
【先行技術文献】
【特許文献】
【０００３】
【特許文献１】特開２０１３−２２０６４２号公報
【発明の概要】
【発明が解決しようとする課題】
【０００４】
特許文献１に開示された多芯式筆記具では、軸筒内において複数のボールペンの中心に配設されたシャープペンは、ペン先の突出状態が、軸筒の外側に配設されたクリップを操作することによって解除される。言い換えれば、軸筒の後端に装着されたノックボタンを押圧することでは、ペン先の突出状態を解除することができない。したがって、ペン先の突出状態を解除するのに、一つのみの筆記体を備える単式筆記具とは異なる操作を使用者に要求するので、直感的な使用が困難になる。
【０００５】
そこで、本発明は、上記の問題点に鑑みてなされたものであって、操作性が改善された多芯式筆記具を提供することを目的とする。
【課題を解決するための手段】
【０００６】
本発明の第１態様では、軸筒と、軸筒の径方向中心部において軸筒内に配設された第１筆記体と、第１筆記体よりも軸筒の径方向外側において軸筒内に配設された少なくとも二本の第２筆記体と、第１筆記体の後端に配設され、第１筆記体を軸筒の前端から選択的に突出させるように構成された第１ノック部材と、第２筆記体の後端に配設され、第２筆記体を軸筒の前端から選択的に突出させるように構成された第２ノック部材とを備える、多芯式筆記具において、第１筆記体の突出が第１ノック部材の操作によって解除されることを特徴とする、多芯式筆記具が提供される。
【０００７】
本発明の第１態様では、第１ノック部材が、軸筒に固定された内筒と、内筒内に配設され且つ内筒から後方に突出するノック棒と、ノック棒の前方に配設された回転子とを備え、ノック棒及び回転子が内筒内において軸線方向に移動するように構成され、ノック棒にカム面が形成され、回転子にカム受け面が形成され、カム面及びカム受け面は、ノック棒が前進するとき、カム受け面がカム面から軸線方向及び周方向の力を受けるように構成され、内筒及び回転子は、回転子がノック棒の前進によって周方向に回転すると、軸線方向に互いに係合し又は該係合が解除されるように構成されることが好ましい。
【０００８】
本発明の第１態様では、第２筆記体の突出が第１ノック部材の操作によって解除されることが好ましい。
【０００９】
本発明の第１態様では、第１筆記体の突出が第２ノック部材の操作によって解除されることが好ましい。
【００１０】
本発明の第１態様では、第２ノック部材にカム面が形成され、第２ノック部材のカム面及びカム受け面は、第２ノック部材が前進するとき、カム受け面が第２ノック部材のカム面から軸線方向及び周方向の力を受けるように構成されることが好ましい。
【００１１】
本発明の第１態様では、回転子に第２カム受け面が形成され、第２ノック部材にカム面が形成され、第２ノック部材のカム面及び第２カム受け面は、第２ノック部材が前進するとき、第２カム受け面が第２ノック部材のカム面から軸線方向及び周方向の力を受けるように構成されることが好ましい。
【００１２】
本発明の第１態様では、第２筆記体の突出が、突出していない他の第２筆記体の第２ノック部材の操作によって解除されることが好ましい。
【００１３】
本発明の第１態様では、第２筆記体の突出は、第２筆記体の第２ノック部材が突出していない他の第２筆記体の第２ノック部材によって径方向外側に押圧されることによって解除されることが好ましい。
【００１４】
本発明の第１態様では、多芯式筆記具が、軸筒内において、第２筆記体よりも径方向内側に配設された伝達部材を更に備え、第２筆記体の突出は、第２筆記体の第２ノック部材が伝達部材を介して突出していない他の第２筆記体の第２ノック部材によって径方向外側に押圧されることによって解除されることが好ましい。
【００１５】
本発明の第１態様では、多芯式筆記具が、軸筒の内周面に固定されたスペーサを更に備え、伝達部材がスペーサに固定されることが好ましい。
【００１６】
本発明の第１態様では、第１筆記体のインク収容管の軸線方向の長さが第２筆記体のインク収容管よりも長いことが好ましい。
【００１７】
本発明の第１態様では、第１筆記体のインク収容管のインク充填量が第２筆記体のインク収容管よりも多いことが好ましい。
【発明の効果】
【００１８】
本発明によれば、操作性が改善された多芯式筆記具が提供される。
【図面の簡単な説明】
【００１９】
【図１】図１（ａ）及び（ｂ）は、それぞれ、本発明の第１実施形態に係る多芯式筆記具の正面図及び側面図である。
【図２】図２（ａ）及び（ｂ）は、それぞれ、図１（ｂ）のＢ−Ｂ線に沿った多芯式筆記具の正面断面図と、図１（ａ）のＡ−Ａ線に沿った多芯式筆記具の側面断面図とである。
【図３】図３（ａ）〜（ｃ）は、それぞれ、図２（ａ）のＣ−Ｃ線、Ｄ−Ｄ線及びＥ−Ｅ線に沿った多芯式筆記具の平面断面図である。
【図４】図４（ａ）〜（ｃ）は、それぞれ、後軸筒の正面図、側面図、及び図４（ｂ）のＦ−Ｆ線に沿った後軸筒の正面断面図である。
【図５】図５（ａ）〜（ｅ）は、それぞれ、内筒の正面図、側面図、底面図、斜視図、及び図５（ｂ）のＧ−Ｇ線に沿った内筒の正面断面図である。
【図６】図６（ａ）〜（ｄ）は、それぞれ、ノック棒の正面図、底面図、斜視図、及び図６（ａ）のＨ−Ｈ線に沿ったノック棒の断面図である。
【図７】図７（ａ）〜（ｄ）は、それぞれ、回転子の正面図、平面図、斜視図、及び図７（ａ）のＩ−Ｉ線に沿った回転子の断面図である。
【図８】図８（ａ）〜（ｃ）は、それぞれ、第２ノック部材の正面図、側面図及び斜視図である。
【図９】図９（ａ）及び（ｂ）は、それぞれ、スペーサの斜視図である。
【図１０】図１０（ａ）及び（ｂ）は、それぞれ、伝達部材の正面図及び斜視図である。
【図１１】図１１（ａ）及び（ｂ）は、それぞれ、第１筆記体が突出しているときの図１（ｂ）のＢ−Ｂ線に沿った多芯式筆記具の部分正面断面図と、一方の第２筆記体が突出しているときの図１（ｂ）のＢ−Ｂ線に沿った多芯式筆記具の部分正面断面図とである。
【図１２】図１２（ａ）及び（ｂ）は、それぞれ、本発明の第２実施形態に係る多芯式筆記具の正面図及び側面図である。
【図１３】図１３（ａ）及び（ｂ）は、それぞれ、図１２（ｂ）のＫ１−Ｋ１線に沿った多芯式筆記具の正面断面図と、図１２（ａ）のＪ１−Ｊ１線に沿った多芯式筆記具の側面断面図とである。
【図１４】図１４（ａ）〜（ｃ）は、それぞれ、図１３（ｂ）のＬ１−Ｌ１線、Ｍ１−Ｍ１線及びＮ１−Ｎ１線に沿った多芯式筆記具の平面断面図である。
【図１５】図１５（ａ）〜（ｃ）は、それぞれ、後軸筒の正面図、側面図、及び図１５（ａ）のＯ１−Ｏ１線に沿った後軸筒の側面断面図である。
【図１６】図１６（ａ）〜（ｄ）は、それぞれ、内筒の正面図、側面図、斜視図、及び図１６（ａ）のＰ１−Ｐ１線に沿った内筒の側面断面図である。
【図１７】図１７は、図１６（ｂ）のＱ１−Ｑ１線に沿った内筒の挿入部の拡大断面図である。
【図１８】図１８（ａ）〜（ｄ）は、それぞれ、ノック棒の正面図、底面図、斜視図、及び図１８（ａ）のＲ１−Ｒ１線に沿ったノック棒の断面図である。
【図１９】図１９（ａ）〜（ｄ）は、それぞれ、回転子の正面図、平面図、斜視図、及び図１９（ａ）のＳ１−Ｓ１線に沿った回転子の断面図である。
【図２０】図２０（ａ）〜（ｃ）は、それぞれ、第２ノック部材の正面図、右側面図及び斜視図である。
【図２１】図２１（ａ）〜（ｄ）は、それぞれ、スペーサの正面図、側面図、斜視図及び底面図である。
【図２２】図２２（ａ）及び（ｂ）は、それぞれ、第１筆記体が突出しているときの図１２（ｂ）のＫ１−Ｋ１線に沿った多芯式筆記具の部分正面断面図と、一方の第２筆記体が突出しているときの図１２（ｂ）のＫ１−Ｋ１線に沿った多芯式筆記具の部分正面断面図とである。
【図２３】図２３（ａ）及び（ｂ）は、それぞれ、本発明の第３実施形態に係る多芯式筆記具の正面図及び側面図である。
【図２４】図２４（ａ）及び（ｂ）は、それぞれ、図２３（ｂ）のＫ２−Ｋ２線に沿った多芯式筆記具の正面断面図と、図２３（ａ）のＪ２−Ｊ２線に沿った多芯式筆記具の側面断面図とである。
【図２５】図２５（ａ）〜（ｃ）は、それぞれ、図２４（ｂ）のＬ２−Ｌ２線、Ｍ２−Ｍ２線及びＮ２−Ｎ２線に沿った多芯式筆記具の平面断面図である。
【図２６】図２６（ａ）〜（ｃ）は、それぞれ、後軸筒の正面図、側面図、及び図２６（ａ）のＯ２−Ｏ２線に沿った後軸筒の側面断面図である。
【図２７】図２７（ａ）〜（ｄ）は、それぞれ、内筒の正面図、側面図、斜視図、及び図２７（ａ）のＰ２−Ｐ２線に沿った内筒の側面断面図である。
【図２８】図２８は、図２７（ｂ）のＱ２−Ｑ２線に沿った内筒の挿入部の拡大断面図である。
【図２９】図２９（ａ）〜（ｄ）は、それぞれ、ノック棒の正面図、底面図、斜視図、及び図２９（ａ）のＲ２−Ｒ２線に沿ったノック棒の断面図である。
【図３０】図３０（ａ）〜（ｄ）は、それぞれ、回転子の正面図、平面図、斜視図、及び図３０（ａ）のＳ２−Ｓ２線に沿った回転子の断面図である。
【図３１】図３１（ａ）〜（ｃ）は、それぞれ、第２ノック部材の正面図、右側面図及び斜視図である。
【図３２】図３２（ａ）〜（ｄ）は、それぞれ、スペーサの正面図、側面図、斜視図及び底面図である。
【図３３】図３３（ａ）及び（ｂ）は、それぞれ、第１筆記体が突出しているときの図２３（ａ）のＪ２−Ｊ２線に沿った多芯式筆記具の部分側面断面図と、一つの第２筆記体が突出しているときの図２３（ａ）のＪ２−Ｊ２線に沿った多芯式筆記具の部分側面断面図とである。
【発明を実施するための形態】
【００２０】
以下、図１〜図１１を参照して、本発明の第１実施形態に係る多芯式筆記具について説明する。
【００２１】
最初に、図１〜図３を参照して、本発明の第１実施形態に係る多芯式筆記具の構成及び動作について簡単に説明する。
【００２２】
図１（ａ）及び（ｂ）は、それぞれ、本発明の第１実施形態に係る多芯式筆記具１ａの正面図及び側面図である。図２（ａ）及び（ｂ）は、それぞれ、図１（ｂ）のＢ−Ｂ線に沿った多芯式筆記具１ａの正面断面図と、図１（ａ）のＡ−Ａ線に沿った多芯式筆記具１ａの側面断面図とである。図３（ａ）〜（ｃ）は、それぞれ、図２（ａ）のＣ−Ｃ線、Ｄ−Ｄ線及びＥ−Ｅ線に沿った多芯式筆記具１ａの平面断面図である。
【００２３】
多芯式筆記具１ａ（以下、単に「筆記具１ａ」とする）は、軸筒２ａと、軸筒２ａ内に配設された第１筆記体３ａ及び第２筆記体４ａと、第１筆記体３ａの後端に配設された第１ノック部材５ａと、第２筆記体４ａの後端に配設された第２ノック部材６ａとを備える。なお、本明細書において、筆記具１ａの先端すなわちペン先側を筆記具１ａの「前」側と定義し、筆記具１ａの軸線方向（長手方向）に沿って筆記具１ａのペン先とは反対側を筆記具１ａの「後」側と定義する。また、筆記具１ａの構成部品についても、筆記具１ａの組立状態において、筆記具１ａのペン先側を構成部品の「前」側と定義し、筆記具１ａの軸線方向に沿って筆記具１ａのペン先とは反対側を構成部品の「後」側と定義する。
【００２４】
本実施形態では、第１筆記体３ａは一本のボールペンであり、第２筆記体４ａは二本のボールペンである。第１筆記体３ａは軸筒２ａの径方向中心部において軸筒２ａ内に配設され、第２筆記体４ａは第１筆記体３ａよりも軸筒２ａの径方向外側において軸筒２ａ内に配設される。第１筆記体３ａ及び第２筆記体４ａは軸筒２ａの径方向において同一直線上に位置する。
【００２５】
第１ノック部材５ａは、第１筆記体３ａを軸筒２ａの前端から選択的に突出させるように構成される。第２ノック部材６ａは、第２筆記体４ａを軸筒２ａの前端から選択的に突出させるように構成される。具体的には、第１ノック部材５ａを操作すると、第１筆記体３ａが突出し、第２ノック部材６ａを操作すると、第２筆記体４ａが突出する。第２筆記体４ａのペン先は、軸筒２ａの内面に沿って径方向内側に移動し、軸筒２ａの前端から突出する。このことよって、三本の筆記体のうちの一本を選択的に使用して筆記を行うことができる。
【００２６】
第１筆記体３ａの突出は第１ノック部材５ａ又は第２ノック部材６ａの操作によって解除される。第２筆記体４ａの突出は第１ノック部材５ａ又は突出していない筆記体の第２ノック部材６ａの操作によって解除される。したがって、第１筆記体３ａ及び第２筆記体４ａの突出を任意の一つのノック部材を操作することによって解除できるので、筆記具１ａの操作性が大幅に改善される。なお、本明細書において、筆記体の突出が解除されるとは、軸筒２ａの前端から突出している筆記体のペン先が軸筒２ａ内に没入することを意味する。
【００２７】
以下、図１〜図１０を参照して、筆記具１ａの構成部品について詳細に説明する。
【００２８】
図１に示されるように、軸筒２ａは、前軸筒７ａと、前軸筒７ａよりも後方に配設された後軸筒８ａとを備える。前軸筒７ａと後軸筒８ａとは圧入、接着又は螺合によって連結される。例えば、前軸筒７ａと後軸筒８ａとは、後軸筒８ａの前側の内周面に形成された雌ネジが前軸筒７ａの後側の外周面に形成される雄ネジと螺合することによって連結される。
【００２９】
図４（ａ）〜（ｃ）は、それぞれ、後軸筒８ａの正面図、側面図、及び図４（ｂ）のＦ−Ｆ線に沿った後軸筒８ａの正面断面図である。後軸筒８ａの外周面には、第２ノック部材６ａが軸線方向に摺動できるように、二つの摺動孔８１ａが形成される。摺動孔８１ａは軸線方向に延在する。後軸筒８ａの内周面には、後述するスペーサ１８ａの凹部１８３及び内筒１５ａの凹部１５１と嵌合する四つの凸部８２が形成される。図３（ａ）及び図４（ｃ）に示されるように、凸部８２は径方向内側に突出し且つ略軸線方向に延在する。後軸筒８ａの後端には、後述するノック棒が後軸筒８ａから突出するための貫通孔８３が形成される。
【００３０】
図２（ａ）に示されるように、第１筆記体３ａは、第１インク収容管９ａ、第１継手１０ａ及び第１チップ１１ａを備え、第２筆記体４ａは、第２インク収容管１２ａ、第２継手１３ａ及び第２チップ１４ａを備える。第１チップ１１ａは第１継手１０ａを介して第１インク収容管９ａに連結される。第２チップ１４ａは第２継手１３ａを介して第２インク収容管１２ａに連結される。
【００３１】
第１インク収容管９ａと二本の第２インク収容管１２ａとには、典型的には、それぞれ異なる色のインクが収容される。第１ノック部材５ａを第２ノック部材６ａよりも後方に配設することで、第１インク収容管９ａの長さを第２インク収容管１２ａよりも長くすることができる。この結果、第１インク収容管９ａのインク充填量を第２インク収容管１２ａの充填量よりも多くすることができる。このため、例えば、第１インク収容管９ａに、一般的に使用頻度が高い黒色のインクを収容することで、筆記具１ａの寿命を延ばし又は筆記体の交換頻度を少なくすることができる。また、同様の効果を得るために、第１インク収容管９ａのインク充填量が第２インク収容管１２ａの充填量よりも多くなるように、第１インク収容管９ａの径方向の長さを第２インク収容管１２ａよりも長くしてもよい。
【００３２】
第１ノック部材５ａは、後軸筒８ａに固定された内筒１５ａと、内筒１５ａ内に配設され且つ内筒１５ａから後方に突出するノック棒１６ａと、ノック棒１６ａの前方に配設された回転子１７ａとを備える。詳しくは後述するが、ノック棒１６ａを押圧して回転子１７ａを回転させることで、第１筆記体３ａを軸筒２ａの前端から出没させることができる。
【００３３】
図５（ａ）〜（ｅ）は、それぞれ、内筒１５ａの正面図、側面図、底面図、斜視図、及び図５（ｂ）のＧ−Ｇ線に沿った内筒１５ａの正面断面図である。内筒１５ａは中空の略円筒形状を有する。内筒１５ａの外周面には、長手方向に延在する四つの凹部１５１及び二つの摺動溝１５２が形成される。四つの凹部１５１は後軸筒８ａの四つの凸部８２とそれぞれ嵌合する。このことによって、内筒１５ａは軸筒２ａの内周面に固定される。摺動溝１５２の底面は、第２ノック部材６ａが前後に摺動する摺動面１５３として機能する。また、図５（ｂ）に示されるように、摺動溝１５２の前端には、第２筆記体４ａが軸筒２ａから突出するときに第２ノック部材６ａの後端と係合する係合面１５４が形成される。
【００３４】
内筒１５ａの内周面には四つの外カム１５５ａが形成される。四つの外カム１５５ａは周方向に等間隔に配設される。隣接する外カム１５５ａ間には、軸線方向に延在する四つの溝１５６が形成される。各外カム１５５ａは、軸線方向に延在し且つ周方向に連続して形成された三つの棒状部から成る。真ん中に配設された第２棒状部１５８は、両端の第１棒状部１５７及び第３棒状部１５９よりも薄い径方向の厚みを有する。このことによって、第１棒状部１５７と第３棒状部１５９との間、すなわち第２棒状部１５８の上に収容凹部２５１が形成される。溝１５６及び収容凹部２５１は、後述するノック棒１６ａの突起を収容する。また、溝１５６は、第１筆記体３ａの没入状態において、後述する回転子１７ａの内カム１７９ａを収容する。なお、内筒１５ａは後軸筒８ａと一体であってもよい。
【００３５】
図６（ａ）〜（ｄ）は、それぞれ、ノック棒１６ａの正面図、底面図、斜視図、及び図６（ａ）のＨ−Ｈ線に沿ったノック棒１６ａの断面図である。ノック棒１６ａは中空の略円筒形状を有する。ノック棒１６ａの外周面には、主に筆記具１ａのデザイン性を高めるために、軸線方向に延在する六つの凹部１６１が形成される。筆記具１ａの使用者はノック棒１６ａの後端を指で押圧することによって第１ノック部材５ａを操作することができる。
【００３６】
ノック棒１６ａは、外周面に、径方向外側に突出し且つ軸線方向に延在する八つの突起１６２ａを有する。八つの突起１６２ａは周方向に等間隔に配設される。各突起１６２ａは、ノック棒１６ａが軸線方向に移動するとき、内筒１５ａの外カム１５５ａ内、より具体的には第１棒状部１５７と第３棒状部１５９との間の収容凹部２５１内、又は外カム１５５ａ間の溝１５６内を前後方向に摺動するように構成される。すなわち、ノック棒１６ａ及び内筒１５ａは、ノック棒１６ａの周方向の回転を規制するように構成される。また、ノック棒１６ａの前端にはカム面１６３ａが全周に亘って形成される。カム面１６３ａは複数の斜面から成る。
【００３７】
図７（ａ）〜（ｄ）は、それぞれ、回転子１７ａの正面図、平面図、斜視図、及び図７（ａ）のＩ−Ｉ線に沿った回転子１７ａの断面図である。回転子１７ａは、中空の略円筒形状を有し、ノック棒１６ａ内に挿入される挿入部１７１ａと、挿入部１７１ａの前方に配設された第１カム受け部１７２と、第１カム受け部１７２の前方に配設された第２カム受け部１７３とを有する。ノック棒１６ａ及び回転子１７ａは内筒１５ａ内において軸線方向に移動するように構成される。
【００３８】
図２に示されるように、第１インク収容管９ａは第２カム受け部１７３及び第１カム受け部１７２内に挿入される。図７（ｄ）に示されるように、第１カム受け部１７２の内周面には、第１インク収容管９ａと嵌合する嵌合突起１７４が形成される。嵌合突起１７４は、径方向内側に突出し且つ周方向全周に亘って延在する。第１カム受け部１７２の内部には、第１インク収容管９ａの後端が当接する当接面１７５が形成される。また、第１インク収容管９ａの通気を確保するための通気孔１７６ａが当接面１７５から回転子１７ａの後端まで軸線方向に延在する。通気孔１７６ａの直径は当接面１７５から後端に向かって徐々に減少する。第２カム受け部１７３の内部には、後述する第１スプリング２１ａの後端が当接する付勢面１７７が形成される。
【００３９】
第１カム受け部１７２の外周面の後端には、ノック棒１６ａのカム面１６３ａと相互作用する第１カム受け面１７８が全周に亘って形成される。第１カム受け面１７８はカム面１６３ａと同様に複数の斜面から成る。カム面１６３ａ及び第１カム受け面１７８は、ノック棒１６ａが前進するとき、第１カム受け面１７８がカム面１６３ａから軸線方向及び周方向の力を受けるように構成される。このため、ノック棒１６ａの前進によってカム面１６３ａが第１カム受け面１７８を押圧すると、回転子１７ａは周方向の力によって周方向に回転する。一方、ノック棒１６ａは、突起１６２ａが内筒１５ａの外カム１５５ａの第１棒状部１５７又は第３棒状部１５９に当接するので、周方向の回転が規制される。
【００４０】
第１カム受け部１７２の外周面には、軸線方向に延在する四つの内カム１７９ａ及び溝２７１ａが形成される。四つの内カム１７９ａは周方向に等間隔に配設される。内カム１７９ａの前端は第１カム受け面１７８の一部を構成する。内カム１７９ａは、ノック棒１６ａの前進によって回転子１７ａが周方向に回転すると、内筒１５ａの外カム１５５ａと軸線方向に係合し又は係合が解除されて外カム１５５ａ間の溝１５６内に収容される。内カム１７９ａが外カム１５５ａ間の溝１５６内に収容されるとき、外カム１５５ａは内カム１７９ａ間の溝２７１ａ内に収容される。すなわち、内筒１５ａ及び回転子１７ａは、回転子１７ａがノック棒１６ａの前進によって周方向に回転すると、軸線方向に互いに係合し又はその係合が解除されるように構成される。
【００４１】
第２カム受け部１７３の外周面には、径方向外側に突出し且つ軸線方向に延在する四つのカム突起２７２が形成される。四つのカム突起２７２は周方向に等間隔に配設される。カム突起２７２の後端には、後述する第２ノック部材６ａのカム面６６ａと相互作用する第２カム受け面２７３が形成される。図７（ａ）から分かるように、カム突起２７２の周方向位置は内カム１７９ａと等しい。また、カム突起２７２は内カム１７９ａと同様の形状を有する。
【００４２】
第１カム受け部１７２と第２カム受け部１７３との間の外周面には、第２筆記体４ａの突出を第１ノック部材５ａによって解除するときに第２ノック部材６ａの後端と接触する押圧面２７４が全周に亘って形成される。第２ノック部材６ａの後端及び押圧面２７４は、接触時に互いに軸線方向及び径方向の力を受けるように構成される。
【００４３】
図８（ａ）〜（ｃ）は、それぞれ、第２ノック部材６ａの正面図、側面図及び斜視図である。第２ノック部材６ａは細長の形状を有する。なお、二つの第２ノック部材６ａは同一の形状を有する。このことによって、部品の共通化が可能となり、ひいては筆記具１ａのコストを削減することができる。
【００４４】
第２ノック部材６ａは、前後方向に延在する本体部６１ａと、本体部６１ａの前方に形成された嵌合部６２ａと、本体部６１ａの後部に形成された操作部６３ａとを有する。図２（ａ）に示されるように、嵌合部６２ａは第２インク収容管１２ａと嵌合する。このことによって、第２インク収容管１２ａは第２ノック部材６ａに固定される。本体部６１ａには、後述する第２スプリング２２ａが当接する付勢面６４ａが形成される。図１（ａ）に示されるように、操作部６３ａは、筆記具１ａの組立状態において、軸筒２ａから径方向外側に突出するので、指で操作されることができる。
【００４５】
本体部６１ａの底面には押圧突起６５ａが形成される。図２（ａ）に示されるように、押圧突起６５ａは、筆記具１ａの組立状態において、軸筒２ａの径方向内側に突出する。押圧突起６５ａの前端には、回転子１７ａの第２カム受け面２７３と相互作用するカム面６６ａが形成される。カム面６６ａ及び第２カム受け面２７３は、第２ノック部材６ａが前進するとき、第２カム受け面２７３がカム面６６ａから軸線方向及び周方向の力を受けるように構成される。このため、第２ノック部材６ａの前進によってカム面６６ａが第２カム受け面２７３を押圧すると、回転子１７ａは周方向の力によって周方向に回転する。一方、第２ノック部材６ａは、操作部６３ａが後軸筒８ａの摺動孔８１ａの側壁に当接するので、周方向の回転が規制される。
【００４６】
筆記具１ａは、さらに、軸筒２ａに固定されたスペーサ１８ａと、スペーサ１８ａに固定されたパイプ部材１９ａ及び伝達部材２０と、第１スプリング２１ａと、二つの第２スプリング２２ａとを備える。
【００４７】
図９（ａ）及び（ｂ）は、それぞれ、スペーサ１８ａの斜視図である。スペーサ１８ａは、前側に形成された円柱部１８１と、円柱部１８１から後方に延在する四つの嵌合部１８２とを有する。各嵌合部１８２には、長手方向に延在する凹部１８３が形成される。凹部１８３は後軸筒８ａの凸部８２とそれぞれ嵌合する。このことによって、スペーサ１８ａは後軸筒８ａの内周面に固定される。
【００４８】
円柱部１８１は円柱形状を有し、円柱部１８１には四つの貫通孔が形成される。円柱部１８１の中心に第１貫通孔１８４ａが形成され、円柱部１８１の周方向に沿って二つの第２貫通孔１８５ａと第３貫通孔１８６とが第１貫通孔１８４ａを囲むように形成される。第１貫通孔１８４ａ及び二つの第２貫通孔１８５ａは径方向において同一直線上に位置する。円柱部１８１の後面は第２スプリング２２ａを支持する。
【００４９】
パイプ部材１９ａは、中空の円筒形状を有する。パイプ部材１９ａの前部はスペーサ１８ａの第１貫通孔１８４ａに圧入される。このことによって、パイプ部材１９ａはスペーサ１８ａに固定される。なお、パイプ部材１９ａは接着によってスペーサ１８ａに固定されてもよい。図２に示されるように、パイプ部材１９ａの後端は第１スプリング２１ａを支持する。
【００５０】
第１インク収容管９ａは、スペーサ１８ａの第１貫通孔１８４ａ及びパイプ部材１９ａを通って延在し、回転子１７ａに固定される。第２インク収容管１２ａは、スペーサ１８ａの第２貫通孔１８５ａを通って延在し、第２ノック部材６ａに固定される。
【００５１】
第１スプリング２１ａは、パイプ部材１９ａの後端と回転子１７ａの付勢面１７７との間に第１インク収容管９ａを周方向に囲むように配設され、回転子１７ａひいては第１筆記体３ａを後方に付勢する。第２スプリング２２ａは、スペーサ１８ａの円柱部１８１の後端と第２ノック部材６ａの付勢面６４ａとの間に第２インク収容管１２ａを周方向に囲むように配設され、第２ノック部材６ａひいては第２筆記体４ａを後方に付勢する。
【００５２】
図１０（ａ）及び（ｂ）は、それぞれ、伝達部材２０の正面図及び斜視図である。伝達部材２０は、細長の形状を有し、後端から前端に向かって、取付部２０１、当接部２０２、接続部２０３及び接触部２０４を有する。取付部２０１は、円柱形状を有し、スペーサ１８ａの第３貫通孔１８６に圧入される。このことによって、伝達部材２０はスペーサ１８ａに固定される。なお、伝達部材２０は接着によってスペーサ１８ａに固定されてもよい。当接部２０２は、直方体形状を有し、伝達部材２０がスペーサ１８ａに固定されるとき、スペーサ１８ａの円柱部１８１に当接する。接続部２０３は、円柱形状を有し、当接部２０２と接触部２０４とを接続する。
【００５３】
図３（ａ）に示されるように、接触部２０４は筆記具１ａの組立状態において第１筆記体３ａを周方向に部分的に囲むように構成される。このことによって、伝達部材２０が軸筒２ａ内の大きな空間を占めることを回避することができる。なお、筆記具が四つの第２筆記体及び第２ノック部材を備える場合、接触部は第１筆記体を周方向全体に亘って囲むように構成されてもよい。第２ノック部材６ａのカム面６６ａと接触する接触部２０４の接触面２０５は、接触時にカム面６６ａから軸線方向及び径方向の力を受けるように構成される。このため、カム面６６ａが接触面２０５に接触すると、接触部２０４は径方向の力によって径方向内側に押圧される。
【００５４】
以下、第１筆記体３ａ及び第２筆記体４ａが軸筒２ａの前端から突出する原理と、第１筆記体３ａ及び第２筆記体４ａの突出が第１ノック部材５ａ又は第２ノック部材６ａによって解除される原理とについて詳細に説明する。
【００５５】
図１１（ａ）及び（ｂ）は、それぞれ、第１筆記体３ａが突出しているときの図１（ｂ）のＢ−Ｂ線に沿った多芯式筆記具１ａの部分正面断面図と、一方の第２筆記体４ａが突出しているときの図１（ｂ）のＢ−Ｂ線に沿った多芯式筆記具１ａの部分正面断面図とである。
【００５６】
最初に第１筆記体３ａが軸筒２ａの前端から突出する原理について説明する。
【００５７】
没入状態では、回転子１７ａの内カム１７９ａは内筒１５ａの外カム１５５ａ間の溝１５６内に収容される。この状態から第１スプリング２１ａの付勢力に抗してノック棒１６ａを前進させると、ノック棒１６ａのカム面１６３ａが回転子１７ａの第１カム受け面１７８に当接し、回転子１７ａがノック棒１６ａと共に前進する。このとき、ノック棒１６ａ及び回転子１７ａはカム面１６３ａ及び第１カム受け面１７８を介して互いに軸線方向及び周方向の力を受ける。その後、内カム１７９ａの後端が外カム１５５ａの第１棒状部１５７の前端を越えると、回転子１７ａの周方向の規制が解除されるので、回転子１７ａは周方向の力によって周方向（前方から見て反時計回り）に回転する。一方、ノック棒１６ａは、突起１６２ａが外カム１５５ａの第１棒状部１５７又は第３棒状部１５９に当接することによって周方向の回転が規制されるので、周方向に回転しない。
【００５８】
この状態でノック棒１６ａを離すと、ノック棒１６ａ及び回転子１７ａは第１スプリング２１ａの付勢力によって後退する。このとき、周方向に回転した回転子１７ａの内カム１７９ａの後端は内筒１５ａの外カム１５５ａの第２棒状部１５８の前端と軸線方向に係合し且つ第３棒状部１５９と周方向に係合する。この係合によって回転子１７ａの後退が妨げられるので、回転子１７ａに固定された第１筆記体３ａは、軸筒２ａの前端からの突出状態が維持される。
【００５９】
以下、第１筆記体３ａの突出が第１ノック部材５ａによって解除される原理について説明する。
【００６０】
突出状態では、回転子１７ａの内カム１７９ａは内筒１５ａの外カム１５５ａと軸線方向に係合する。この状態から第１スプリング２１ａの付勢力に抗してノック棒１６ａを前進させると、ノック棒１６ａのカム面１６３ａが回転子１７ａの第１カム受け面１７８に当接し、回転子１７ａがノック棒１６ａと共に前進する。このとき、ノック棒１６ａ及び回転子１７ａはカム面１６３ａ及び第１カム受け面１７８を介して互いに軸線方向及び周方向の力を受ける。その後、内カム１７９ａの後端が外カム１５５ａの第３棒状部１５９の前端を越えると、回転子１７ａの周方向の規制が解除されるので、回転子１７ａは周方向の力によって周方向（前方から見て反時計回り）に回転する。一方、ノック棒１６ａは、突起１６２ａが外カム１５５ａの第１棒状部１５７又は第３棒状部１５９に当接することによって周方向の回転が規制されるので、周方向に回転しない。
【００６１】
この状態でノック棒１６ａを離すと、ノック棒１６ａ及び回転子１７ａは第１スプリング２１ａの付勢力によって後退し、周方向に回転した内カム１７９ａは外カム１５５ａ間の溝１５６内に収容される。このとき、回転子１７ａに固定された第１筆記体３ａも共に後退するので、第１筆記体３ａの突出が解除される。
【００６２】
以下、第１筆記体３ａの突出が第２ノック部材６ａによって解除される原理について説明する。
【００６３】
突出状態では、回転子１７ａの内カム１７９ａは内筒１５ａの外カム１５５ａと軸線方向に係合する。このとき、図１１（ａ）に示されるように、第２ノック部材６ａの押圧突起６５ａは回転子１７ａのカム突起２７２よりも後方に位置し、四つのうち二つのカム突起２７２の周方向位置は押圧突起６５ａと等しい。
【００６４】
この状態から第２スプリング２２ａの付勢力に抗して第２ノック部材６ａを前進させると、第２ノック部材６ａのカム面６６ａが回転子１７ａの第２カム受け面２７３に当接し、回転子１７ａが第２ノック部材６ａと共に前進する。このとき、第２ノック部材６ａ及び回転子１７ａはカム面６６ａ及び第２カム受け面２７３を介して互いに軸線方向及び周方向の力を受ける。その後、内カム１７９ａの後端が外カム１５５ａの第３棒状部１５９の前端を越えると、回転子１７ａの周方向の規制が解除されるので、回転子１７ａは周方向の力によって周方向（前方から見て反時計回り）に回転する。一方、第２ノック部材６ａは、操作部６３ａが後軸筒８ａの摺動孔８１ａの側壁に当接することによって周方向の回転が規制されるので、周方向に回転しない。周方向に回転した内カム１７９ａは第１スプリング２１ａの付勢力によって外カム１５５ａ間の溝１５６内に収容される。このとき、回転子１７ａ及びノック棒１６ａが後退するので、回転子１７ａに固定された第１筆記体３ａも共に後退し、第１筆記体３ａの突出が解除される。
【００６５】
以下、第２筆記体４ａが軸筒２ａの前端から突出する原理について説明する。
【００６６】
没入状態では、第２ノック部材６ａの操作部６３ａは内筒１５ａの摺動面１５３上に位置する。この状態から第２スプリング２２ａの付勢力に抗して第２ノック部材６ａを前進させる。その後、第２ノック部材６ａの後端が内筒１５ａの摺動面１５３の前端を越えると、第２ノック部材６ａの操作部６３ａは径方向内側に向かって落ち込む。
【００６７】
この状態で第２ノック部材６ａを離すと、図１１（ｂ）に示されるように、第２スプリング２２ａの付勢力によって第２ノック部材６ａの後端は内筒１５ａの係合面１５４と軸線方向に係合する。この係合によって第２ノック部材６ａの後退が妨げられるので、第２ノック部材６ａに固定された第２筆記体４ａは軸筒２ａの前端から突出する。
【００６８】
以下、第２筆記体４ａの突出が第１ノック部材５ａによって解除される原理について説明する。
【００６９】
突出状態では、第２ノック部材６ａは内筒１５ａと軸線方向に係合する。このとき、図１１（ｂ）に示されるように、回転子１７ａの押圧面２７４は第２ノック部材６ａの後端よりも後方に位置する。
【００７０】
この状態から第１スプリング２１ａの付勢力に抗してノック棒１６ａを前進させると、ノック棒１６ａのカム面１６３ａが回転子１７ａの第１カム受け面１７８に当接し、回転子１７ａがノック棒１６ａと共に前進する。その後、回転子１７ａの押圧面２７４が第２ノック部材６ａの後端に接触すると、第２ノック部材６ａの後端は、押圧面２７４から径方向外側の力を受けるので、内筒１５ａとの係合が解除される。その後、第２ノック部材６ａが第２スプリング２２ａの付勢力によって後退するので、第２ノック部材６ａに固定された第２筆記体４ａも共に後退し、第２筆記体４ａの突出が解除される。
【００７１】
以下、第２筆記体４ａの突出が第２ノック部材６ａによって解除される原理について説明する。
【００７２】
突出状態では、第２ノック部材６ａは内筒１５ａと軸線方向に係合する。このとき、図１１（ｂ）に示されるように、突出していない第２筆記体４ａの第２ノック部材６ａの押圧突起６５ａは伝達部材２０の接触面２０５よりも後方に位置する。
【００７３】
この状態から第２スプリング２２ａの付勢力に抗して、突出していない第２筆記体４ａの第２ノック部材６ａを前進させると、第２ノック部材６ａのカム面６６ａが伝達部材２０の接触面２０５と接触する。このとき、接触面２０５がカム面６６ａから径方向内側の力を受けるので、接触部２０４は径方向に移動し、反対側の突出している第２筆記体４ａの第２ノック部材６ａを径方向外側に押圧する。このことによって、第２ノック部材６ａの後端と内筒１５ａとの係合が解除される。その後、第２ノック部材６ａが第２スプリング２２ａの付勢力によって後退するので、第２ノック部材６ａに固定された第２筆記体４ａも共に後退し、第２筆記体４ａの突出が解除される。
【００７４】
以下、図１２〜図２２を参照して、本発明の第２実施形態に係る多芯式筆記具について説明する。
【００７５】
最初に、図１２〜図１４を参照して、本発明の第２実施形態に係る多芯式筆記具の構成及び動作について簡単に説明する。
【００７６】
図１２（ａ）及び（ｂ）は、それぞれ、本発明の第２実施形態に係る多芯式筆記具１ｂの正面図及び側面図である。図１３（ａ）及び（ｂ）は、それぞれ、図１２（ｂ）のＫ１−Ｋ１線に沿った多芯式筆記具１ｂの正面断面図と、図１２（ａ）のＪ１−Ｊ１線に沿った多芯式筆記具１ｂの側面断面図とである。図１４（ａ）〜（ｃ）は、それぞれ、図１３（ｂ）のＬ１−Ｌ１線、Ｍ１−Ｍ１線及びＮ１−Ｎ１線に沿った多芯式筆記具１ｂの平面断面図である。
【００７７】
多芯式筆記具１ｂ（以下、単に「筆記具１ｂ」とする）は、軸筒２ｂと、軸筒２ｂ内に配設された第１筆記体３ｂ及び第２筆記体４ｂと、第１筆記体３ｂの後端に配設された第１ノック部材５ｂと、第２筆記体４ｂの後端に配設された第２ノック部材６ｂとを備える。なお、本明細書において、筆記具１ｂの先端すなわちペン先側を筆記具１ｂの「前」側と定義し、筆記具１ｂの軸線方向（長手方向）に沿って筆記具１ｂのペン先とは反対側を筆記具１ｂの「後」側と定義する。また、筆記具１ｂの構成部品についても、筆記具１ｂの組立状態において、筆記具１ｂのペン先側を構成部品の「前」側と定義し、筆記具１ｂの軸線方向に沿って筆記具１ｂのペン先とは反対側を構成部品の「後」側と定義する。
【００７８】
本実施形態では、第１筆記体３ｂは一本のボールペンであり、第２筆記体４ｂは二本のボールペンである。第１筆記体３ｂは軸筒２ｂの径方向中心部において軸筒２ｂ内に配設され、第２筆記体４ｂは第１筆記体３ｂよりも軸筒２ｂの径方向外側において軸筒２ｂ内に配設される。第１筆記体３ｂ及び第２筆記体４ｂは軸筒２ｂの径方向において同一直線上に位置する。
【００７９】
第１ノック部材５ｂは、第１筆記体３ｂを軸筒２ｂの前端から選択的に突出させるように構成される。第２ノック部材６ｂは、第２筆記体４ｂを軸筒２ｂの前端から選択的に突出させるように構成される。具体的には、第１ノック部材５ｂを操作すると、第１筆記体３ｂが突出し、第２ノック部材６ｂを操作すると、第２筆記体４ｂが突出する。第２筆記体４ｂのペン先は、軸筒２ｂの内面に沿って径方向内側に移動し、軸筒２ｂの前端から突出する。このことよって、三本の筆記体のうちの一本を選択的に使用して筆記を行うことができる。
【００８０】
第１筆記体３ｂの突出は第１ノック部材５ｂ又は第２ノック部材６ｂの操作によって解除される。第２筆記体４ｂの突出は第１ノック部材５ｂ又は突出していない筆記体の第２ノック部材６ｂの操作によって解除される。したがって、第１筆記体３ｂ及び第２筆記体４ｂの突出を任意の一つのノック部材を操作することによって解除できるので、筆記具１ｂの操作性が大幅に改善される。
【００８１】
以下、図１２〜図２１を参照して、筆記具１ｂの構成部品について詳細に説明する。
【００８２】
図１２に示されるように、軸筒２ｂは、前軸筒７ｂと、前軸筒７ｂよりも後方に配設された後軸筒８ｂとを備える。前軸筒７ｂと後軸筒８ｂとは、後述するスペーサ１８ｂを介して連結される。なお、前軸筒７ｂと後軸筒８ｂとは第１実施形態のように圧入等によって直接連結されてもよい。
【００８３】
図１５（ａ）〜（ｃ）は、それぞれ、後軸筒８ｂの正面図、側面図、及び図１５（ａ）のＯ−Ｏ線に沿った後軸筒８ｂの側面断面図である。後軸筒８ｂの外周面には、第２ノック部材６ｂが軸線方向に摺動できるように、二つの摺動孔８１ｂが形成される。摺動孔８１ｂは軸線方向に延在する。後軸筒８ｂの後端には、後述する内筒１５ｂと嵌合する嵌合孔８４ｂ及び嵌合溝８５ｂが形成される。
【００８４】
図１３（ａ）に示されるように、第１筆記体３ｂは、第１インク収容管９ｂ、第１継手１０ｂ及び第１チップ１１ｂを備え、第２筆記体４ｂは、第２インク収容管１２ｂ、第２継手１３ｂ及び第２チップ１４ｂを備える。第１チップ１１ｂは第１継手１０ｂを介して第１インク収容管９ｂに連結される。第２チップ１４ｂは第２継手１３ｂを介して第２インク収容管１２ｂに連結される。
【００８５】
第１インク収容管９ｂと二本の第２インク収容管１２ｂとには、典型的には、それぞれ異なる色のインクが収容される。第１ノック部材５ｂを第２ノック部材６ｂよりも後方に配設することで、第１インク収容管９ｂの長さを第２インク収容管１２ｂよりも長くすることができる。この結果、第１インク収容管９ｂのインク充填量を第２インク収容管１２ｂの充填量よりも多くすることができる。このため、例えば、第１インク収容管９ｂに、一般的に使用頻度が高い黒色のインクを収容することで、筆記具１ｂの寿命を延ばし又は筆記体の交換頻度を少なくすることができる。また、同様の効果を得るために、第１インク収容管９ｂのインク充填量が第２インク収容管１２ｂの充填量よりも多くなるように、第１インク収容管９ｂの径方向の長さを第２インク収容管１２ｂよりも長くしてもよい。
【００８６】
第１ノック部材５ｂは、後軸筒８ｂに固定された内筒１５ｂと、内筒１５ｂ内に配設され且つ内筒１５ｂから後方に突出するノック棒１６ｂと、ノック棒１６ｂの前方に配設された回転子１７ｂとを備える。詳しくは後述するが、ノック棒１６ｂを押圧して回転子１７ｂを回転させることで、第１筆記体３ｂを軸筒２ｂの前端から出没させることができる。
【００８７】
図１６（ａ）〜（ｄ）は、それぞれ、内筒１５ｂの正面図、側面図、斜視図、及び図１６（ａ）のＰ１−Ｐ１線に沿った内筒１５ｂの側面断面図である。内筒１５ｂはクリップ部２５２ｂと挿入部２５３ｂとを有する。クリップ部２５２ｂは、細長の形状を有し、内筒１５ｂが軸筒２ｂに固定されたとき、軸筒２ｂの外側で略軸線方向に延在する。クリップ部２５２ｂの前部には、軸筒２ｂの径方向内側に突出する玉部２５４ｂが設けられる。クリップ部２５２ｂの基部には、後軸筒８ｂの嵌合溝８５ｂと嵌合する嵌合部２５５ｂが設けられる。
【００８８】
挿入部２５３ｂは中空の略円筒形状を有する。挿入部２５３ｂの後部は、内筒１５ｂが軸筒２ｂに固定されたとき、軸筒２ｂから露出する。挿入部２５３ｂの後部には、軸線方向に延在する貫通孔２５６ｂが形成され、ノック棒１６ｂは貫通孔２５６ｂを通って内筒１５ｂから後方に突出する。
【００８９】
挿入部２５３ｂの外周面には、後軸筒８ｂの嵌合孔８４ｂと嵌合する四つのレール２５７ｂと、挿入部２５３ｂを補強する二つの補強材２５８とが設けられる。レール２５７ｂは挿入部２５３ｂの外周面から径方向外側に突出し且つ挿入部２５３ｂの後部から前端まで軸線方向に延在する。補強材２５８は挿入部２５３ｂの外周面から径方向外側に突出し且つ挿入部２５３ｂの後部から軸線方向に部分的に延在する。補強材２５８の軸線方向の長さはレール２５７ｂよりも短い。
【００９０】
挿入部２５３ｂには、第２ノック部材６ｂが軸線方向に摺動できるように、後部から前端まで軸線方向に延在する二つの摺動孔２５９ｂが形成される。内筒１５ｂが軸筒２ｂに固定されたとき、内筒１５ｂの摺動孔２５９ｂの周方向位置は軸筒２ｂの摺動孔８１ｂと等しい。また、第２ノック部材６ｂが周方向の力を受けると、第２ノック部材６ｂは、摺動孔２５９ｂの側壁を形成するレール２５７ｂに当接する。
【００９１】
図１７は、図１６（ｂ）のＱ−Ｑ線に沿った内筒１５ｂの挿入部２５３ｂの拡大断面図である。挿入部２５３ｂは内周面に二つの外カム１５５ｂを有する。二つの外カム１５５ｂは周方向に離間され、径方向において同一直線上に位置する。挿入部２５３ｂは内周面にさらに二つの肉厚部３５１ｂを有する。二つの肉厚部３５１ｂは周方向に離間され、径方向において同一直線上に位置する。外カム１５５ｂと肉厚部３５１ｂとは周方向に離間されて交互に配設される。また、外カム１５５ｂ及び肉厚部３５１ｂの径方向の厚さは等しい。この結果、外カム１５５ｂと肉厚部３５１ｂとの間には第１凹部３５２及び第２凹部３５３が二つずつ形成される。
【００９２】
第２凹部３５３の周方向長さは第１凹部３５２よりも長い。また、第２凹部３５３は摺動孔２５９ｂと連通する。第１凹部３５２及び第２凹部３５３は、後述するノック棒１６ｂの突起１６２ｂを収容する。また、第１凹部３５２及び第２凹部３５３は、図１４（ａ）に示されるように、第１筆記体３ｂの没入状態において、後述する回転子１７ｂの内カム１７９ｂを収容する。
【００９３】
なお、内筒１５ｂは後軸筒８ｂと一体であってもよい。また、内筒１５ｂは第１実施形態のようにクリップ部２５２ｂを有しなくてもよい。
【００９４】
図１８（ａ）〜（ｄ）は、それぞれ、ノック棒１６ｂの正面図、底面図、斜視図、及び図１８（ａ）のＲ１−Ｒ１線に沿ったノック棒１６ｂの断面図である。ノック棒１６ｂは略円柱形状を有する。ノック棒１６ｂの前部には、回転子１７ｂを部分的に収容するための収容空間１６４ｂが形成される。筆記具１ｂの使用者はノック棒１６ｂの後端を指で押圧することによって第１ノック部材５ｂを操作することができる。
【００９５】
ノック棒１６ｂは、外周面に、径方向外側に突出し且つ軸線方向に延在する四つの突起１６２ｂを有する。四つの突起１６２ｂは周方向に等間隔に配設される。各突起１６２ｂは、ノック棒１６ｂが軸線方向に移動するとき、内筒１５ｂの第１凹部３５２又は第２凹部３５３内を軸線方向に摺動するように構成される。すなわち、ノック棒１６ｂ及び内筒１５ｂは、ノック棒１６ｂの周方向の回転を規制するように構成される。また、ノック棒１６ｂの前端にはカム面１６３ｂが全周に亘って形成される。カム面１６３ｂは複数の斜面から成る。
【００９６】
図１９（ａ）〜（ｄ）は、それぞれ、回転子１７ｂの正面図、平面図、斜視図、及び図１９（ａ）のＳ１−Ｓ１線に沿った回転子１７ｂの断面図である。回転子１７ｂは、中空の略円筒形状を有し、ノック棒１６ｂの収容空間１６４ｂに挿入される挿入部１７１ｂと、挿入部１７１ｂの前方に配設されたカム受け部２７５ｂとを有する。ノック棒１６ｂ及び回転子１７ｂは内筒１５ｂ内において軸線方向に移動するように構成される。
【００９７】
図１３に示されるように、第１インク収容管９ｂはカム受け部２７５ｂ内に圧入される。このことによって、第１インク収容管９ｂは回転子１７ｂに固定される。カム受け部２７５ｂの内部には、第１インク収容管９ｂの後端が当接する第１当接面２７６ｂが形成される。また、第１インク収容管９ｂの通気を確保するための通気孔１７６ｂが第１当接面２７６ｂから回転子１７ｂの後端まで軸線方向に延在する。また、図１３に示されるように、後述するパイプ部材１９ｂもカム受け部２７５ｂ内に圧入される。このことによって、パイプ部材１９ｂは回転子１７ｂに固定される。カム受け部２７５ｂの内部には、パイプ部材１９ｂの後端が当接する第２当接面２７７ｂが形成される。
【００９８】
カム受け部２７５ｂの外周面には、軸線方向に延在する四つの内カム１７９ｂ及び溝２７１ｂが形成される。四つの内カム１７９ｂは周方向に等間隔に配設される。内カム１７９ｂの前端には、ノック棒１６ｂのカム面１６３ｂと相互作用するカム受け面２７８ｂが形成される。カム面１６３ｂ及びカム受け面２７８ｂは、ノック棒１６ｂが前進するとき、カム受け面２７８ｂがカム面１６３ｂから軸線方向及び周方向の力を受けるように構成される。このため、ノック棒１６ｂの前進によってカム面１６３ｂがカム受け面２７８ｂを押圧すると、回転子１７ｂは周方向の力によって周方向に回転する。一方、ノック棒１６ｂは、突起１６２ｂが内筒１５ｂの外カム１５５ｂ又は肉厚部３５１ｂに当接するので、周方向の回転が規制される。
【００９９】
内カム１７９ｂは、図１４（ａ）に示されるように内筒１５ｂの第１凹部３５２又は第２凹部３５３内に収容されているとき、ノック棒１６ｂの前進によって回転子１７ｂが周方向に回転すると、内筒１５ｂの肉厚部３５１ｂと軸線方向に係合する。また、内カム１７９ｂは、肉厚部３５１ｂと軸線方向に係合しているとき、ノック棒１６ｂの前進によって回転子１７ｂが周方向に回転すると、外カム１５５ｂから更なる周方向の力を受けることで肉厚部３５１ｂとの係合が解除されて第１凹部３５２又は第２凹部３５３内に収容される。内カム１７９ｂが第１凹部３５２又は第２凹部３５３内に収容されるとき、外カム１５５ｂ及び肉厚部３５１ｂは内カム１７９ｂ間の溝２７１ｂ内に収容される。すなわち、内筒１５ｂ及び回転子１７ｂは、回転子１７ｂがノック棒１６ｂの前進によって周方向に回転すると、軸線方向に互いに係合し又はその係合が解除されるように構成される。
【０１００】
図２０（ａ）〜（ｃ）は、それぞれ、第２ノック部材６ｂの正面図、右側面図及び斜視図である。第２ノック部材６ｂは細長の形状を有する。なお、二つの第２ノック部材６ｂは同一の形状を有する。このことによって、部品の共通化が可能となり、ひいては筆記具１ｂのコストを削減することができる。
【０１０１】
第２ノック部材６ｂは、前後方向に延在する本体部６１ｂと、本体部６１ｂの前方に形成された嵌合部６２ｂと、本体部６１ｂの後部に形成された操作部６３ｂと、本体部６１ｂの両側に形成された接触部６７ｂとを有する。図１３（ａ）に示されるように、嵌合部６２ｂは第２インク収容管１２ｂと嵌合する。このことによって、第２インク収容管１２ｂは第２ノック部材６ｂに固定される。図１２（ａ）に示されるように、操作部６３ｂは、筆記具１ｂの組立状態において、軸筒２ｂから径方向外側に突出するので、指で操作されることができる。
【０１０２】
本体部６１ｂには、後述する第２スプリング２２ｂが当接する付勢面６４ｂが形成される。また、本体部６１ｂの後端には、第２ノック部材６ｂの突出を第１ノック部材５ｂの操作によって解除するときに回転子１７ｂの前面によって押圧される第１接触面６８ｂが形成される。第１接触面６８ｂは、接触時に回転子１７ｂの前面から軸線方向及び径方向の力を受けるように構成される。
【０１０３】
本体部６１ｂの底面には押圧突起６５ｂが形成される。図１３（ａ）に示されるように、押圧突起６５ｂは、筆記具１ｂの組立状態において、軸筒２ｂの径方向内側に突出し且つ軸線方向に延在する。押圧突起６５ｂの前端には、回転子１７ｂのカム受け面２７８ｂと相互作用するカム面６６ｂが形成される。カム面６６ｂ及びカム受け面２７８ｂは、第２ノック部材６ｂが前進するとき、カム受け面２７８ｂがカム面６６ｂから軸線方向及び周方向の力を受けるように構成される。このため、第２ノック部材６ｂの前進によってカム面６６ｂがカム受け面２７８ｂを押圧すると、回転子１７ｂは周方向の力によって周方向に回転する。一方、第２ノック部材６ｂは、操作部６３ｂが内筒１５ｂのレール２５７ｂに当接するので、周方向の回転が規制される。
【０１０４】
図１４（ａ）に示されるように、筆記具１ｂの組立状態において、接触部６７ｂは軸筒２ｂの略周方向に延在し、二つの第２ノック部材６ｂの接触部６７ｂは周方向に隣接する。言い換えれば、各第２ノック部材６ｂの本体部６１ｂ及び接触部６７ｂは軸筒２ｂの全周（３６０°）のうちの約１８０°の範囲に延在する。
【０１０５】
接触部６７ｂの前端には、突出していない第２筆記体４ｂの第２ノック部材６ｂの操作によって第２筆記体４ｂの突出を解除するときに、突出している第２筆記体４ｂの第２ノック部材６ｂを押圧する二つの押圧面６９ｂが形成される。接触部６７ｂの後端には、突出していない第２筆記体４ｂの第２ノック部材６ｂの操作によって第２筆記体４ｂの突出を解除するときに、突出していない第２筆記体４ｂの第２ノック部材６ｂによって押圧される二つの第２接触面７０ｂが形成される。押圧面６９ｂ及び第２接触面７０ｂは、接触時に互いに軸線方向及び径方向の力を受けるように構成される。
【０１０６】
筆記具１ｂは、さらに、回転子１７ｂに圧入されたパイプ部材１９ｂと、第１スプリング２１ｂと、第２スプリング２２ｂと、第１スプリング２１ｂ及び第２スプリング２２ｂを支持するスペーサ１８ｂとを備える。
【０１０７】
パイプ部材１９ｂは、中空の円筒形状を有する。パイプ部材１９ｂの前部は回転子１７ｂに圧入される。このことによって、パイプ部材１９ｂは回転子１７ｂに固定される。なお、パイプ部材１９ｂは接着によって回転子１７ｂに固定されてもよい。図１３に示されるように、パイプ部材１９ｂの前端は第１スプリング２１ｂによって付勢される。
【０１０８】
図２１（ａ）〜（ｄ）は、それぞれ、スペーサ１８ｂの正面図、側面図、斜視図及び底面図である。スペーサ１８ｂは、前軸筒７ｂに圧入される第１圧入部１８７ｂと、後軸筒８ｂに圧入される第２圧入部１８８ｂと、第１圧入部１８７ｂと第２圧入部１８８ｂとの間に形成された露出部１８９ｂと、第２圧入部１８８ｂから後方に延在する三つのスプリングガイド（第１スプリングガイド２８１ｂ及び第２スプリングガイド２８２ｂ）とを有する。なお、第１圧入部１８７ｂ及び第２圧入部１８８ｂはそれぞれ接着又は螺合によって前軸筒７ｂ及び後軸筒８ｂに固定されてもよい。
【０１０９】
第１圧入部１８７ｂは中空の略円筒形状を有し、第２圧入部１８８ｂは略円柱形状を有する。第２圧入部１８８ｂの後面は第１スプリング２１ｂ及び第２スプリング２２ｂを支持する。露出部１８９ｂは、軸筒２ｂと等しい直径を有し、図１２に示されるように、前軸筒７ｂ及び後軸筒８ｂと共に筆記具１ｂの外周面を構成する。
【０１１０】
露出部１８９ｂ及び第２圧入部１８８ｂには三つの貫通孔が形成される。径方向の中心に第１貫通孔１８４ｂが形成され、第１貫通孔１８４ｂよりも径方向外側に二つの第２貫通孔１８５ｂが形成される。第１貫通孔１８４ｂ及び二つの第２貫通孔１８５ｂは径方向において同一直線上に位置する。第１スプリングガイド２８１ｂは第１貫通孔１８４ｂを周方向に部分的に囲むように形成される。第２スプリングガイド２８２ｂは第２貫通孔１８５ｂを周方向に部分的に囲むように形成される。第１スプリングガイド２８１ｂの軸線方向の長さは第２スプリングガイド２８２ｂよりも長い。
【０１１１】
第１インク収容管９ｂは、第１貫通孔１８４ｂ、パイプ部材１９ｂ及び第１スプリングガイド２８１ｂを通って延在し、回転子１７ｂに固定される。第２インク収容管１２ｂは、第２貫通孔１８５ｂ及び第２スプリングガイド２８２ｂを通って延在し、第２ノック部材６ｂに固定される。
【０１１２】
第１スプリング２１ｂは、スペーサ１８ｂの第２圧入部１８８ｂの後面とパイプ部材１９ｂの前端との間に第１インク収容管９ｂを周方向に囲むように配設され、パイプ部材１９ｂひいては回転子１７ｂ及び第１筆記体３ｂを後方に付勢する。第２スプリング２２ｂは、スペーサ１８ｂの第２圧入部１８８ｂの後面と第２ノック部材６ｂの付勢面６４ｂとの間に第２インク収容管１２ｂを周方向に囲むように配設され、第２ノック部材６ｂひいては第２筆記体４ｂを後方に付勢する。第１スプリング２１ｂ及び第２スプリング２２ｂの設置は第１スプリングガイド２８１ｂ及び第２スプリングガイド２８２ｂによって補助される。
【０１１３】
以下、第１筆記体３ｂ及び第２筆記体４ｂが軸筒２ｂの前端から突出する原理と、第１筆記体３ｂ及び第２筆記体４ｂの突出が第１ノック部材５ｂ又は第２ノック部材６ｂによって解除される原理とについて詳細に説明する。
【０１１４】
図２２（ａ）及び（ｂ）は、それぞれ、第１筆記体３ｂが突出しているときの図１２（ｂ）のＫ２−Ｋ２線に沿った多芯式筆記具１ｂの部分正面断面図と、一方の第２筆記体４ｂが突出しているときの図１２（ｂ）のＫ２−Ｋ２線に沿った多芯式筆記具１ｂの部分正面断面図とである。
【０１１５】
最初に第１筆記体３ｂが軸筒２ｂの前端から突出する原理について説明する。
【０１１６】
没入状態では、図１４（ａ）に示されるように、回転子１７ｂの内カム１７９ｂは内筒１５ｂの第１凹部３５２又は第２凹部３５３内に収容される。この状態から第１スプリング２１ｂの付勢力に抗してノック棒１６ｂを前進させると、ノック棒１６ｂのカム面１６３ｂが回転子１７ｂのカム受け面２７８ｂに当接し、回転子１７ｂがノック棒１６ｂと共に前進する。このとき、ノック棒１６ｂ及び回転子１７ｂはカム面１６３ｂ及びカム受け面２７８ｂを介して互いに軸線方向及び周方向の力を受ける。その後、内カム１７９ｂの後端が肉厚部３５１ｂの前端を越えると、回転子１７ｂの周方向の規制が解除されるので、回転子１７ｂは周方向の力によって周方向（前方から見て反時計回り）に回転する。一方、ノック棒１６ｂは、突起１６２ｂが内筒１５ｂの外カム１５５ｂ又は肉厚部３５１ｂに当接することによって周方向の回転が規制されるので、周方向に回転しない。
【０１１７】
この状態でノック棒１６ｂを離すと、ノック棒１６ｂ及び回転子１７ｂは第１スプリング２１ｂの付勢力によって後退する。このとき、周方向に回転した回転子１７ｂの内カム１７９ｂの後端は内筒１５ｂの肉厚部３５１ｂの前端と軸線方向に係合する。この係合によって回転子１７ｂの後退が妨げられるので、回転子１７ｂに固定された第１筆記体３ｂは、軸筒２ｂの前端からの突出状態が維持される。
【０１１８】
以下、第１筆記体３ｂの突出が第１ノック部材５ｂによって解除される原理について説明する。
【０１１９】
突出状態では、回転子１７ｂの内カム１７９ｂは内筒１５ｂの肉厚部３５１ｂと軸線方向に係合する。この状態から第１スプリング２１ｂの付勢力に抗してノック棒１６ｂを前進させると、ノック棒１６ｂのカム面１６３ｂが回転子１７ｂのカム受け面２７８ｂに当接し、回転子１７ｂがノック棒１６ｂと共に前進する。このとき、ノック棒１６ｂ及び回転子１７ｂはカム面１６３ｂ及びカム受け面２７８ｂを介して互いに軸線方向及び周方向の力を受ける。この結果、回転子１７ｂの内カム１７９ｂと内筒１５ｂの肉厚部３５１ｂとの軸線方向の係合が解除されるので、回転子１７ｂは周方向の力によって周方向（前方から見て反時計回り）に回転する。一方、ノック棒１６ｂは、突起１６２ｂが内筒１５ｂの外カム１５５ｂ又は肉厚部３５１ｂに当接することによって周方向の回転が規制されるので、周方向に回転しない。
【０１２０】
この状態でノック棒１６ｂを離すと、ノック棒１６ｂ及び回転子１７ｂは第１スプリング２１ｂの付勢力によって後退し、周方向に回転した内カム１７９ｂは、内筒１５ｂの外カム１５５ｂから更なる周方向の力を受けて、内筒１５ｂの第１凹部３５２又は第２凹部３５３内に収容される。このとき、回転子１７ｂに固定された第１筆記体３ｂも共に後退するので、第１筆記体３ｂの突出が解除される。
【０１２１】
以下、第１筆記体３ｂの突出が第２ノック部材６ｂによって解除される原理について説明する。
【０１２２】
突出状態では、回転子１７ｂの内カム１７９ｂは内筒１５ｂの肉厚部３５１ｂと軸線方向に係合する。このとき、図２２（ａ）に示されるように、第２ノック部材６ｂの押圧突起６５ｂは回転子１７ｂの内カム１７９ｂよりも後方に位置し、四つのうち二つの内カム１７９ｂの周方向位置は押圧突起６５ｂと等しい。
【０１２３】
この状態から第２スプリング２２ｂの付勢力に抗して第２ノック部材６ｂを前進させると、第２ノック部材６ｂのカム面６６ｂが回転子１７ｂのカム受け面２７８ｂに当接し、回転子１７ｂが第２ノック部材６ｂと共に前進する。このとき、第２ノック部材６ｂ及び回転子１７ｂはカム面６６ｂ及びカム受け面２７８ｂを介して互いに軸線方向及び周方向の力を受ける。この結果、回転子１７ｂの内カム１７９ｂと内筒１５ｂの肉厚部３５１ｂとの軸線方向の係合が解除されるので、回転子１７ｂは周方向の力によって周方向（前方から見て反時計回り）に回転する。一方、第２ノック部材６ｂは、操作部６３ｂが内筒１５ｂのレール２５７ｂに当接することによって周方向の回転が規制されるので、周方向に回転しない。周方向に回転した内カム１７９ｂは、内筒１５ｂの外カム１５５ｂから更なる周方向の力を受けて、内筒１５ｂの第１凹部３５２又は第２凹部３５３内に収容される。このとき、回転子１７ｂ及びノック棒１６ｂが後退するので、回転子１７ｂに固定された第１筆記体３ｂも共に後退し、第１筆記体３ｂの突出が解除される。
【０１２４】
以下、第２筆記体４ｂが軸筒２ｂの前端から突出する原理について説明する。
【０１２５】
没入状態では、第２ノック部材６ｂの操作部６３ｂは内筒１５ｂの摺動孔２５９ｂ及び後軸筒８ｂの摺動孔８１ｂの後端に位置する。この状態から第２スプリング２２ｂの付勢力に抗して第２ノック部材６ｂを前進させる。その後、第２ノック部材６ｂの後端が内筒１５ｂの前端を越えると、第２ノック部材６ｂの操作部６３ｂは径方向内側に向かって落ち込む。
【０１２６】
この状態で第２ノック部材６ｂを離すと、図２２（ｂ）に示されるように、第２スプリング２２ｂの付勢力によって第２ノック部材６ｂの後端は内筒１５ｂの前端と軸線方向に係合する。この係合によって第２ノック部材６ｂの後退が妨げられるので、第２ノック部材６ｂに固定された第２筆記体４ｂは軸筒２ｂの前端から突出する。
【０１２７】
以下、第２筆記体４ｂの突出が第１ノック部材５ｂによって解除される原理について説明する。
【０１２８】
突出状態では、第２ノック部材６ｂは内筒１５ｂと軸線方向に係合する。このとき、図２２（ｂ）に示されるように、回転子１７ｂの前面は、第２ノック部材６ｂの第１接触面６８ｂよりも後方に位置する。
【０１２９】
この状態から第１スプリング２１ｂの付勢力に抗してノック棒１６ｂを前進させると、ノック棒１６ｂのカム面１６３ｂが回転子１７ｂのカム受け面２７８ｂに当接し、回転子１７ｂがノック棒１６ｂと共に前進する。その後、回転子１７ｂの前面が第２ノック部材６ｂの第１接触面６８ｂに接触すると、第２ノック部材６ｂの第１接触面６８ｂは、回転子１７ｂの前面から径方向外側の力を受けるので、第２ノック部材６ｂと内筒１５ｂとの係合が解除される。その後、第２ノック部材６ｂが第２スプリング２２ｂの付勢力によって後退するので、第２ノック部材６ｂに固定された第２筆記体４ｂも共に後退し、第２筆記体４ｂの突出が解除される。
【０１３０】
以下、第２筆記体４ｂの突出が第２ノック部材６ｂによって解除される原理について説明する。
【０１３１】
突出状態では、第２ノック部材６ｂは内筒１５ｂと軸線方向に係合する。このとき、突出していない第２筆記体４ｂの第２ノック部材６ｂの押圧面６９ｂは、突出している第２筆記体４ｂの第２ノック部材６ｂの第２接触面７０ｂよりも後方に位置する。また、押圧面６９ｂ及び第２接触面７０ｂは周方向において部分的に重なる。
【０１３２】
この状態から第２スプリング２２ｂの付勢力に抗して、突出していない第２筆記体４ｂの第２ノック部材６ｂを前進させると、突出していない第２筆記体４ｂの第２ノック部材６ｂの押圧面６９ｂが、突出している第２筆記体４ｂの第２ノック部材６ｂの第２接触面７０ｂと接触する。このとき、第２接触面７０ｂが押圧面６９ｂから径方向外側の力を受けるので第２ノック部材６ｂと内筒１５ｂとの係合が解除される。その後、第２ノック部材６ｂが第２スプリング２２ｂの付勢力によって後退するので、第２ノック部材６ｂに固定された第２筆記体４ｂも共に後退し、第２筆記体４ｂの突出が解除される。
【０１３３】
以下、図２３〜図３３を参照して、本発明の第３実施形態に係る多芯式筆記具について説明する。第３実施形態は、第２筆記体が三本である点で第２実施形態と異なり、構成部品の機能及び構成は第２実施形態と同様である。
【０１３４】
最初に、図２３〜図２５を参照して、本発明の第３実施形態に係る多芯式筆記具の構成及び動作について簡単に説明する。
【０１３５】
図２３（ａ）及び（ｂ）は、それぞれ、本発明の第３実施形態に係る多芯式筆記具１ｃの正面図及び側面図である。図２４（ａ）及び（ｂ）は、それぞれ、図２３（ｂ）のＫ２−Ｋ２線に沿った多芯式筆記具１ｃの正面断面図と、図２３（ａ）のＪ２−Ｊ２線に沿った多芯式筆記具１ｃの側面断面図とである。図２５（ａ）〜（ｃ）は、それぞれ、図２４（ｂ）のＬ２−Ｌ２線、Ｍ２−Ｍ２線及びＮ２−Ｎ２線に沿った多芯式筆記具１ｃの平面断面図である。
【０１３６】
多芯式筆記具１ｃ（以下、単に「筆記具１ｃ」とする）は、軸筒２ｃと、軸筒２ｃ内に配設された第１筆記体３ｃ及び第２筆記体４ｃと、第１筆記体３ｃの後端に配設された第１ノック部材５ｃと、第２筆記体４ｃの後端に配設された第２ノック部材６ｃとを備える。なお、本明細書において、筆記具１ｃの先端すなわちペン先側を筆記具１ｃの「前」側と定義し、筆記具１ｃの軸線方向（長手方向）に沿って筆記具１ｃのペン先とは反対側を筆記具１ｃの「後」側と定義する。また、筆記具１ｃの構成部品についても、筆記具１ｃの組立状態において、筆記具１ｃのペン先側を構成部品の「前」側と定義し、筆記具１ｃの軸線方向に沿って筆記具１ｃのペン先とは反対側を構成部品の「後」側と定義する。
【０１３７】
本実施形態では、第１筆記体３ｃは一本のボールペンであり、第２筆記体４ｃは三本のボールペンである。第１筆記体３ｃは軸筒２ｃの径方向中心部において軸筒２ｃ内に配設され、第２筆記体４ｃは第１筆記体３ｃよりも軸筒２ｃの径方向外側において軸筒２ｃ内に配設される。三本の第２筆記体４ｃは、第１筆記体３ｃを周方向に囲むように、周方向に等間隔に配設される。
【０１３８】
第１ノック部材５ｃは、第１筆記体３ｃを軸筒２ｃの前端から選択的に突出させるように構成される。第２ノック部材６ｃは、第２筆記体４ｃを軸筒２ｃの前端から選択的に突出させるように構成される。具体的には、第１ノック部材５ｃを操作すると、第１筆記体３ｃが突出し、第２ノック部材６ｃを操作すると、第２筆記体４ｃが突出する。第２筆記体４ｃのペン先は、軸筒２ｃの内面に沿って径方向内側に移動し、軸筒２ｃの前端から突出する。このことよって、四本の筆記体のうちの一本を選択的に使用して筆記を行うことができる。
【０１３９】
第１筆記体３ｃの突出は第１ノック部材５ｃ又は第２ノック部材６ｃの操作によって解除される。第２筆記体４ｃの突出は第１ノック部材５ｃ又は突出していない筆記体の第２ノック部材６ｃの操作によって解除される。したがって、第１筆記体３ｃ及び第２筆記体４ｃの突出を任意の一つのノック部材を操作することによって解除できるので、筆記具１ｃの操作性が大幅に改善される。
【０１４０】
以下、図２３〜図３２を参照して、筆記具１ｃの構成部品について詳細に説明する。
【０１４１】
図２３に示されるように、軸筒２ｃは、前軸筒７ｃと、前軸筒７ｃよりも後方に配設された後軸筒８ｃとを備える。前軸筒７ｃと後軸筒８ｃとは、後述するスペーサ１８ｃを介して連結される。なお、前軸筒７ｃと後軸筒８ｃとは第１実施形態のように圧入等によって直接連結されてもよい。
【０１４２】
図２６（ａ）〜（ｃ）は、それぞれ、後軸筒８ｃの正面図、側面図、及び図２６（ａ）のＯ２−Ｏ２線に沿った後軸筒８ｃの側面断面図である。後軸筒８ｃの外周面には、第２ノック部材６ｃが軸線方向に摺動できるように、三つの摺動孔８１ｃが形成される。摺動孔８１ｃは軸線方向に延在する。後軸筒８ｃの後端には、後述する内筒１５ｃと嵌合する嵌合孔８４ｃ及び嵌合溝８５ｃが形成される。
【０１４３】
図２４（ａ）に示されるように、第１筆記体３ｃは、第１インク収容管９ｃ、第１継手１０ｃ及び第１チップ１１ｃを備え、第２筆記体４ｃは、第２インク収容管１２ｃ、第２継手１３ｃ及び第２チップ１４ｃを備える。第１チップ１１ｃは第１継手１０ｃを介して第１インク収容管９ｃに連結される。第２チップ１４ｃは第２継手１３ｃを介して第２インク収容管１２ｃに連結される。
【０１４４】
第１インク収容管９ｃと三本の第２インク収容管１２ｃとには、典型的には、それぞれ異なる色のインクが収容される。第１ノック部材５ｃを第２ノック部材６ｃよりも後方に配設することで、第１インク収容管９ｃの長さを第２インク収容管１２ｃよりも長くすることができる。この結果、第１インク収容管９ｃのインク充填量を第２インク収容管１２ｃの充填量よりも多くすることができる。このため、例えば、第１インク収容管９ｃに、一般的に使用頻度が高い黒色のインクを収容することで、筆記具１ｃの寿命を延ばし又は筆記体の交換頻度を少なくすることができる。また、同様の効果を得るために、第１インク収容管９ｃのインク充填量が第２インク収容管１２ｃの充填量よりも多くなるように、第１インク収容管９ｃの径方向の長さを第２インク収容管１２ｃよりも長くしてもよい。
【０１４５】
第１ノック部材５ｃは、後軸筒８ｃに固定された内筒１５ｃと、内筒１５ｃ内に配設され且つ内筒１５ｃから後方に突出するノック棒１６ｃと、ノック棒１６ｃの前方に配設された回転子１７ｃとを備える。詳しくは後述するが、ノック棒１６ｃを押圧して回転子１７ｃを回転させることで、第１筆記体３ｃを軸筒２ｃの前端から出没させることができる。
【０１４６】
図２７（ａ）〜（ｄ）は、それぞれ、内筒１５ｃの正面図、側面図、斜視図、及び図２７（ａ）のＰ２−Ｐ２線に沿った内筒１５ｃの側面断面図である。内筒１５ｃはクリップ部２５２ｃと挿入部２５３ｃとを有する。クリップ部２５２ｃは、細長の形状を有し、内筒１５ｃが軸筒２ｃに固定されたとき、軸筒２ｃの外側で略軸線方向に延在する。クリップ部２５２ｃの前部には、軸筒２ｃの径方向内側に突出する玉部２５４ｃが設けられる。クリップ部２５２ｃの基部には、後軸筒８ｃの嵌合溝８５ｃと嵌合する嵌合部２５５ｃが設けられる。
【０１４７】
挿入部２５３ｃは中空の略円筒形状を有する。挿入部２５３ｃの後部は、内筒１５ｃが軸筒２ｃに固定されたとき、軸筒２ｃから露出する。挿入部２５３ｃの後部には、軸線方向に延在する貫通孔２５６ｃが形成され、ノック棒１６ｃは貫通孔２５６ｃを通って内筒１５ｃから後方に突出する。
【０１４８】
挿入部２５３ｃの外周面には、後軸筒８ｃの嵌合孔８４ｃと嵌合する六つのレール２５７ｃが設けられる。レール２５７ｃは挿入部２５３ｃの外周面から径方向外側に突出し且つ挿入部２５３ｃの後部から前端まで軸線方向に延在する。
【０１４９】
挿入部２５３ｃには、第２ノック部材６ｃが軸線方向に摺動できるように、後部から前端まで軸線方向に延在する三つの摺動孔２５９ｃが形成される。内筒１５ｃが軸筒２ｃに固定されたとき、内筒１５ｃの摺動孔２５９ｃの周方向位置は軸筒２ｃの摺動孔８１ｃと等しい。また、第２ノック部材６ｃが周方向の力を受けると、第２ノック部材６ｃは、摺動孔２５９ｃの側壁を形成するレール２５７ｃに当接する。
【０１５０】
図２８は、図２７（ｂ）のＱ２−Ｑ２線に沿った内筒１５ｂの挿入部２５３ｃの拡大断面図である。挿入部２５３ｃは内周面に三つの外カム１５５ｃを有する。三つの外カム１５５ｃは周方向に等間隔に配設される。挿入部２５３ｃは内周面にさらに三つの肉厚部３５１ｃを有する。二つの肉厚部３５１ｃは周方向に等間隔に配設される。外カム１５５ｃと肉厚部３５１ｃとは周方向に離間されて交互に配設される。また、外カム１５５ｃ及び肉厚部３５１ｃの径方向の厚さは等しい。外カム１５５ｃと肉厚部３５１ｃとの間には三つの凹部３５４が形成される。
【０１５１】
凹部３５４は、後述するノック棒１６ｃの突起１６２ｃを収容する。また、凹部３５４は、図２５（ａ）に示されるように、第１筆記体３ｃの没入状態において、後述する回転子１７ｃの内カム１７９ｃを収容する。
【０１５２】
なお、内筒１５ｃは後軸筒８ｃと一体であってもよい。また、内筒１５ｃは第１実施形態のようにクリップ部２５２ｃを有しなくてもよい。
【０１５３】
図２９（ａ）〜（ｄ）は、それぞれ、ノック棒１６ｃの正面図、底面図、斜視図、及び図２９（ａ）のＲ２−Ｒ２線に沿ったノック棒１６ｃの断面図である。ノック棒１６ｃは略円柱形状を有する。ノック棒１６ｃの内部には、回転子１７ｃを部分的に収容するための収容空間１６４ｃが形成される。筆記具１ｃの使用者はノック棒１６ｃの後端を指で押圧することによって第１ノック部材５ｃを操作することができる。
【０１５４】
ノック棒１６ｃは、外周面に、径方向外側に突出し且つ軸線方向に延在する三つの突起１６２ｃを有する。三つの突起１６２ｃは周方向に等間隔に配設される。各突起１６２ｃは、ノック棒１６ｃが軸線方向に移動するとき、内筒１５ｃの凹部３５４内を軸線方向に摺動するように構成される。すなわち、ノック棒１６ｃ及び内筒１５ｃは、ノック棒１６ｃの周方向の回転を規制するように構成される。また、ノック棒１６ｃの前端にはカム面１６３ｃが全周に亘って形成される。カム面１６３ｃは複数の斜面から成る。
【０１５５】
図３０（ａ）〜（ｄ）は、それぞれ、回転子１７ｃの正面図、平面図、斜視図、及び図３０（ａ）のＳ２−Ｓ２線に沿った回転子１７ｃの断面図である。回転子１７ｃは、中空の略円筒形状を有し、ノック棒１６ｃの収容空間１６４ｃに挿入される挿入部１７１ｃと、挿入部１７１ｃの前方に配設されたカム受け部２７５ｃとを有する。ノック棒１６ｃ及び回転子１７ｃは内筒１５ｃ内において軸線方向に移動するように構成される。
【０１５６】
図２４に示されるように、第１インク収容管９ｃはカム受け部２７５ｃ内に圧入される。このことによって、第１インク収容管９ｃは回転子１７ｃに固定される。カム受け部２７５ｃの内部には、第１インク収容管９ｃの後端が当接する第１当接面２７６ｃが形成される。また、第１インク収容管９ｃの通気を確保するための通気孔１７６ｃが第１当接面２７６ｃから回転子１７ｃの後端まで軸線方向に延在する。また、図２４に示されるように、後述するパイプ部材１９ｃもカム受け部２７５ｃ内に圧入される。このことによって、パイプ部材１９ｃは回転子１７ｃに固定される。カム受け部２７５ｃの内部には、パイプ部材１９ｃの後端が当接する第２当接面２７７ｃが形成される。
【０１５７】
カム受け部２７５ｃの外周面には、軸線方向に延在する三つの内カム１７９ｃ及び溝２７１ｃが形成される。三つの内カム１７９ｃは周方向に等間隔に配設される。内カム１７９ｃの前端には、ノック棒１６ｃのカム面１６３ｃと相互作用するカム受け面２７８ｃが形成される。カム面１６３ｃ及びカム受け面２７８ｃは、ノック棒１６ｃが前進するとき、カム受け面２７８ｃがカム面１６３ｃから軸線方向及び周方向の力を受けるように構成される。このため、ノック棒１６ｃの前進によってカム面１６３ｃがカム受け面２７８ｃを押圧すると、回転子１７ｃは周方向の力によって周方向に回転する。一方、ノック棒１６ｃは、突起１６２ｃが内筒１５ｃの外カム１５５ｃに当接するので、周方向の回転が規制される。
【０１５８】
内カム１７９ｃは、図２５（ａ）に示されるように内筒１５ｃの凹部３５４内に収容されているとき、ノック棒１６ｃの前進によって回転子１７ｃが周方向に回転すると、内筒１５ｃの肉厚部３５１ｃと軸線方向に係合する。また、内カム１７９ｃは、肉厚部３５１ｃと軸線方向に係合しているとき、ノック棒１６ｃの前進によって回転子１７ｃが周方向に回転すると、肉厚部３５１ｃとの係合が解除され、その後、外カム１５５ｃから更なる周方向の力を受けて凹部３５４内に収容される。内カム１７９ｃが凹部３５４内に収容されるとき、外カム１５５ｃ及び肉厚部３５１ｃは内カム１７９ｃ間の溝２７１ｃ内に収容される。すなわち、内筒１５ｃ及び回転子１７ｃは、回転子１７ｃがノック棒１６ｃの前進によって周方向に回転すると、軸線方向に互いに係合し又はその係合が解除されるように構成される。
【０１５９】
図３１（ａ）〜（ｃ）は、それぞれ、第２ノック部材６ｃの正面図、右側面図及び斜視図である。第２ノック部材６ｃは細長の形状を有する。なお、三つの第２ノック部材６ｃは同一の形状を有する。このことによって、部品の共通化が可能となり、ひいては筆記具１ｃのコストを削減することができる。
【０１６０】
第２ノック部材６ｃは、前後方向に延在する本体部６１ｃと、本体部６１ｃの前方に形成された嵌合部６２ｃと、本体部６１ｂの後部に形成された操作部６３ｃと、本体部６１ｃの両側に形成された接触部６７ｃとを有する。図２４（ｂ）に示されるように、嵌合部６２ｃは第２インク収容管１２ｃと嵌合する。このことによって、第２インク収容管１２ｃは第２ノック部材６ｃに固定される。図２３に示されるように、操作部６３ｃは、筆記具１ｃの組立状態において、軸筒２ｃから径方向外側に突出するので、指で操作されることができる。
【０１６１】
本体部６１ｃには、後述する第２スプリング２２ｃが当接する付勢面６４ｃが形成される。また、本体部６１ｃの後端には、第２ノック部材６ｃの突出を第１ノック部材５ｃの操作によって解除するときに回転子１７ｃの前面によって押圧される第１接触面６８ｃが形成される。第１接触面６８ｃは、接触時に回転子１７ｃの前面から軸線方向及び径方向の力を受けるように構成される。
【０１６２】
本体部６１ｃの底面には押圧突起６５ｃが形成される。図２４（ｂ）に示されるように、押圧突起６５ｃは、筆記具１ｃの組立状態において、軸筒２ｃの径方向内側に突出し且つ軸線方向に延在する。押圧突起６５ｃの前端には、回転子１７ｃのカム受け面２７８ｃと相互作用するカム面６６ｃが形成される。カム面６６ｃ及びカム受け面２７８ｃは、第２ノック部材６ｃが前進するとき、カム受け面２７８ｃがカム面６６ｃから軸線方向及び周方向の力を受けるように構成される。このため、第２ノック部材６ｃの前進によってカム面６６ｃがカム受け面２７８ｃを押圧すると、回転子１７ｃは周方向の力によって周方向に回転する。一方、第２ノック部材６ｃは、操作部６３ｃが内筒１５ｃのレール２５７ｃに当接するので、周方向の回転が規制される。
【０１６３】
図２５（ａ）に示されるように、筆記具１ｃの組立状態において、接触部６７ｃは軸筒２ｃの略周方向に延在し、三つの第２ノック部材６ｃの接触部６７ｃは周方向に互いに隣接する。言い換えれば、各第２ノック部材６ｃの本体部６１ｃ及び接触部６７ｃは軸筒２ｃの全周（３６０°）のうちの約１２０°の範囲に延在する。
【０１６４】
接触部６７ｃの前端には、突出していない第２筆記体４ｃの第２ノック部材６ｃの操作によって第２筆記体４ｃの突出を解除するときに、突出している第２筆記体４ｃの第２ノック部材６ｃを押圧する二つの押圧面６９ｃが形成される。接触部６７ｃの後端には、突出していない第２筆記体４ｃの第２ノック部材６ｃの操作によって第２筆記体４ｃの突出を解除するときに、突出していない第２筆記体４ｃの第２ノック部材６ｃによって押圧される二つの第２接触面７０ｃが形成される。押圧面６９ｃ及び第２接触面７０ｃは、接触時に互いに軸線方向及び径方向の力を受けるように構成される。
【０１６５】
筆記具１ｃは、さらに、回転子１７ｃに圧入されたパイプ部材１９ｃと、第１スプリング２１ｃと、第２スプリング２２ｃと、第１スプリング２１ｃ及び第２スプリング２２ｃを支持するスペーサ１８ｃとを備える。
【０１６６】
パイプ部材１９ｃは、中空の円筒形状を有する。パイプ部材１９ｃの前部は回転子１７ｃに圧入される。このことによって、パイプ部材１９ｃは回転子１７ｃに固定される。なお、パイプ部材１９ｃは接着によって回転子１７ｃに固定されてもよい。図２４に示されるように、パイプ部材１９ｃの前端は第１スプリング２１ｃによって付勢される。
【０１６７】
図３２（ａ）〜（ｄ）は、それぞれ、スペーサ１８ｃの正面図、側面図、斜視図及び底面図である。スペーサ１８ｃは、前軸筒７ｃに圧入される第１圧入部１８７ｃと、後軸筒８ｃに圧入される第２圧入部１８８ｃと、第１圧入部１８７ｃと第２圧入部１８８ｃとの間に形成された露出部１８９ｃと、第２圧入部１８８ｃから後方に延在する四つのスプリングガイド（第１スプリングガイド２８１ｃ及び第２スプリングガイド２８２ｃ）とを有する。なお、第１圧入部１８７ｃ及び第２圧入部１８８ｃはそれぞれ接着又は螺合によって前軸筒７ｃ及び後軸筒８ｃに固定されてもよい。
【０１６８】
第１圧入部１８７ｃは中空の略円筒形状を有し、第２圧入部１８８ｃは円柱形状を有する。第２圧入部１８８ｃの後面は第１スプリング２１ｃ及び第２スプリング２２ｃを支持する。露出部１８９ｃは、軸筒２ｃと等しい直径を有し、図２３に示されるように、前軸筒７ｃ及び後軸筒８ｃと共に筆記具１ｃの外周面を構成する。
【０１６９】
露出部１８９ｃ及び第２圧入部１８８ｃには四つの貫通孔が形成される。径方向の中心に第１貫通孔１８４ｃが形成され、第１貫通孔１８４ｃよりも径方向外側に三つの第２貫通孔１８５ｃが形成される。三つの第２貫通孔１８５ｃは、第１貫通孔１８４ｃを周方向に囲むように、周方向に等間隔に配設される。第１スプリングガイド２８１ｃは第１貫通孔１８４ｃを周方向に部分的に囲むように形成される。第２スプリングガイド２８２ｃは第２貫通孔１８５ｃを周方向に部分的に囲むように形成される。第１スプリングガイド２８１ｃの軸線方向の長さは第２スプリングガイド２８２ｃよりも長い。
【０１７０】
第１インク収容管９ｃは、第１貫通孔１８４ｃ、パイプ部材１９ｃ及び第１スプリングガイド２８１ｃを通って延在し、回転子１７ｃに固定される。第２インク収容管１２ｃは、第２貫通孔１８５ｃ及び第２スプリングガイド２８２ｃを通って延在し、第２ノック部材６ｃに固定される。
【０１７１】
第１スプリング２１ｃは、スペーサ１８ｃの第２圧入部１８８ｃの後面とパイプ部材１９ｃの前端との間に第１インク収容管９ｃを周方向に囲むように配設され、パイプ部材１９ｃひいては回転子１７ｃ及び第１筆記体３ｃを後方に付勢する。第２スプリング２２ｃは、スペーサ１８ｃの第２圧入部１８８ｃの後面と第２ノック部材６ｃの付勢面６４ｃとの間に第２インク収容管１２ｃを周方向に囲むように配設され、第２ノック部材６ｃひいては第２筆記体４ｃを後方に付勢する。第１スプリング２１ｃ及び第２スプリング２２ｃの設置は第１スプリングガイド２８１ｃ及び第２スプリングガイド２８２ｃによって補助される。
【０１７２】
以下、第１筆記体３ｃ及び第２筆記体４ｃが軸筒２ｃの前端から突出する原理と、第１筆記体３ｃ及び第２筆記体４ｃの突出が第１ノック部材５ｃ又は第２ノック部材６ｃによって解除される原理とについて詳細に説明する。
【０１７３】
図３３（ａ）及び（ｂ）は、それぞれ、第１筆記体３ｂが突出しているときの図２３（ａ）のＪ２−Ｊ２線に沿った多芯式筆記具１ｃの部分側面断面図と、一つの第２筆記体４ｃが突出しているときの図２３（ａ）のＪ２−Ｊ２線に沿った多芯式筆記具１ｃの部分側面断面図とである。
【０１７４】
最初に第１筆記体３ｃが軸筒２ｃの前端から突出する原理について説明する。
【０１７５】
没入状態では、図２５（ａ）に示されるように、回転子１７ｃの内カム１７９ｃは内筒１５ｃの凹部３５４内に収容される。この状態から第１スプリング２１ｃの付勢力に抗してノック棒１６ｃを前進させると、ノック棒１６ｃのカム面１６３ｃが回転子１７ｃのカム受け面２７８ｃに当接し、回転子１７ｃがノック棒１６ｃと共に前進する。このとき、ノック棒１６ｃ及び回転子１７ｃはカム面１６３ｃ及びカム受け面２７８ｃを介して互いに軸線方向及び周方向の力を受ける。その後、内カム１７９ｃの後端が肉厚部３５１ｃの前端を越えると、回転子１７ｃの周方向の規制が解除されるので、回転子１７ｃは周方向の力によって周方向（前方から見て反時計回り）に回転する。一方、ノック棒１６ｃは、突起１６２ｃが内筒１５ｃの外カム１５５ｃに当接することによって周方向の回転が規制されるので、周方向に回転しない。
【０１７６】
この状態でノック棒１６ｃを離すと、ノック棒１６ｃ及び回転子１７ｃは第１スプリング２１ｃの付勢力によって後退する。このとき、周方向に回転した回転子１７ｃの内カム１７９ｃの後端の一部は内筒１５ｃの肉厚部３５１ｃの前端と軸線方向に係合する。この係合によって回転子１７ｃの後退が妨げられるので、回転子１７ｃに固定された第１筆記体３ｃは、軸筒２ｃの前端からの突出状態が維持される。
【０１７７】
以下、第１筆記体３ｃの突出が第１ノック部材５ｃによって解除される原理について説明する。
【０１７８】
突出状態では、回転子１７ｃの内カム１７９ｃは内筒１５ｃの肉厚部３５１ｃと軸線方向に係合する。この状態から第１スプリング２１ｃの付勢力に抗してノック棒１６ｃを前進させると、ノック棒１６ｃのカム面１６３ｃが回転子１７ｃのカム受け面２７８ｃに当接し、回転子１７ｃがノック棒１６ｃと共に前進する。このとき、ノック棒１６ｃ及び回転子１７ｃはカム面１６３ｃ及びカム受け面２７８ｃを介して互いに軸線方向及び周方向の力を受ける。この結果、回転子１７ｃの内カム１７９ｃと内筒１５ｃの肉厚部３５１ｃとの軸線方向の係合が解除されるので、回転子１７ｃは周方向の力によって周方向（前方から見て反時計回り）に回転する。一方、ノック棒１６ｃは、突起１６２ｃが内筒１５ｃの外カム１５５ｃに当接することによって周方向の回転が規制されるので、周方向に回転しない。
【０１７９】
この状態でノック棒１６ｃを離すと、ノック棒１６ｃ及び回転子１７ｃは第１スプリング２１ｃの付勢力によって後退し、周方向に回転した内カム１７９ｃは、内筒１５ｃの外カム１５５ｃから更なる周方向の力を受けて、内筒１５ｃの凹部３５４内に収容される。このとき、回転子１７ｃに固定された第１筆記体３ｃも共に後退するので、第１筆記体３ｃの突出が解除される。
【０１８０】
以下、第１筆記体３ｃの突出が第２ノック部材６ｃによって解除される原理について説明する。
【０１８１】
突出状態では、回転子１７ｃの内カム１７９ｃの一部は内筒１５ｃの肉厚部３５１ｃと軸線方向に係合する。このとき、図３３（ａ）に示されるように、第２ノック部材６ｃの押圧突起６５ｃは回転子１７ｃの内カム１７９ｃよりも後方に位置する。また、内カム１７９ｃは周方向において押圧突起６５ｃと部分的に重なる。
【０１８２】
この状態から第２スプリング２２ｃの付勢力に抗して第２ノック部材６ｃを前進させると、第２ノック部材６ｃのカム面６６ｃが回転子１７ｃのカム受け面２７８ｃに当接し、回転子１７ｃが第２ノック部材６ｃと共に前進する。このとき、第２ノック部材６ｃ及び回転子１７ｃはカム面６６ｃ及びカム受け面２７８ｃを介して互いに軸線方向及び周方向の力を受ける。この結果、回転子１７ｃの内カム１７９ｃと内筒１５ｃの肉厚部３５１ｃとの軸線方向の係合が解除されるので、回転子１７ｃは周方向の力によって周方向（前方から見て反時計回り）に回転する。一方、第２ノック部材６ｃは、操作部６３ｃが内筒１５ｃのレール２５７ｃに当接することによって周方向の回転が規制されるので、周方向に回転しない。周方向に回転した内カム１７９ｃは、内筒１５ｃの外カム１５５ｃから更なる周方向の力を受けて、内筒１５ｃの凹部３５４内に収容される。このとき、回転子１７ｃ及びノック棒１６ｃが後退するので、回転子１７ｃに固定された第１筆記体３ｃも共に後退し、第１筆記体３ｃの突出が解除される。
【０１８３】
以下、第２筆記体４ｃが軸筒２ｃの前端から突出する原理について説明する。
【０１８４】
没入状態では、第２ノック部材６ｃの操作部６３ｃは内筒１５ｃの摺動孔２５９ｃ及び後軸筒８ｃの摺動孔８１ｃの後端に位置する。この状態から第２スプリング２２ｃの付勢力に抗して第２ノック部材６ｃを前進させる。その後、第２ノック部材６ｃの後端が内筒１５ｃの前端を越えると、第２ノック部材６ｃの操作部６３ｃは径方向内側に向かって落ち込む。
【０１８５】
この状態で第２ノック部材６ｃを離すと、第２スプリング２２ｃの付勢力によって第２ノック部材６ｃの後端は内筒１５ｃの前端と軸線方向に係合する。この係合によって第２ノック部材６ｃの後退が妨げられるので、第２ノック部材６ｃに固定された第２筆記体４ｃは軸筒２ｃの前端から突出する。
【０１８６】
以下、第２筆記体４ｃの突出が第１ノック部材５ｃによって解除される原理について説明する。
【０１８７】
突出状態では、第２ノック部材６ｃは内筒１５ｃと軸線方向に係合する。このとき、回転子１７ｃの前面は、第２ノック部材６ｃの第１接触面６８ｃよりも後方に位置する。
【０１８８】
この状態から第１スプリング２１ｃの付勢力に抗してノック棒１６ｃを前進させると、ノック棒１６ｃのカム面１６３ｃが回転子１７ｃのカム受け面２７８ｃに当接し、回転子１７ｃがノック棒１６ｃと共に前進する。その後、回転子１７ｃの前面が第２ノック部材６ｃの第１接触面６８ｃに接触すると、第２ノック部材６ｃの第１接触面６８ｃは、回転子１７ｃの前面から径方向外側の力を受けるので、第２ノック部材６ｃと内筒１５ｃとの係合が解除される。その後、第２ノック部材６ｃが第２スプリング２２ｃの付勢力によって後退するので、第２ノック部材６ｃに固定された第２筆記体４ｃも共に後退し、第２筆記体４ｃの突出が解除される。
【０１８９】
以下、第２筆記体４ｃの突出が第２ノック部材６ｃによって解除される原理について説明する。
【０１９０】
突出状態では、第２ノック部材６ｃは内筒１５ｃと軸線方向に係合する。このとき、突出していない第２筆記体４ｃの第２ノック部材６ｃの押圧面６９ｃは、突出している第２筆記体４ｃの第２ノック部材６ｃの第２接触面７０ｃよりも後方に位置する。また、押圧面６９ｃ及び第２接触面７０ｃは周方向において部分的に重なる。
【０１９１】
この状態から第２スプリング２２ｃの付勢力に抗して、突出していない第２筆記体４ｃの第２ノック部材６ｃを前進させると、突出していない第２筆記体４ｃの第２ノック部材６ｃの押圧面６９ｃが、突出している第２筆記体４ｃの第２ノック部材６ｃの第２接触面７０ｃと接触する。このとき、第２接触面７０ｃが押圧面６９ｃから径方向外側の力を受けるので第２ノック部材６ｃと内筒１５ｃとの係合が解除される。その後、第２ノック部材６ｃが第２スプリング２２ｃの付勢力によって後退するので、第２ノック部材６ｃに固定された第２筆記体４ｃも共に後退し、第２筆記体４ｂの突出が解除される。
【０１９２】
以上、本発明に係る好適な実施形態を説明したが、本発明はこれら実施形態に限定されるものではなく、特許請求の範囲内で様々な修正及び変更を施すことができる。例えば、第１筆記体はボールペンの代わりにシャープペンシルであってもよい。この場合、弾性力の異なる二種類のスプリングで第１筆記体を付勢することによって、シャープペンシルの芯の繰り出しを可能としつつ、第１筆記体の突出を第１ノック部材で解除することができる。また、第１実施形態、第２実施形態及び第３実施形態の各特徴は、任意に組み合わせて実施可能である。
【符号の説明】
【０１９３】
１ａ、１ｂ、１ｃ    多芯式筆記具（筆記具）
２ａ、２ｂ、２ｃ    軸筒
３ａ、３ｂ、３ｃ    第１筆記体
４ａ、４ｂ、４ｃ    第２筆記体
５ａ、５ｂ、５ｃ    第１ノック部材
６ａ、６ｂ、６ｃ    第２ノック部材
６６ａ、６６ｂ、６６ｃ    カム面
７ａ、７ｂ、７ｃ    前軸筒
８ａ、８ｂ、８ｃ    後軸筒
９ａ、９ｂ、９ｃ    第１インク収容管
１０ａ、１０ｂ、１０ｃ    第１継手
１１ａ、１１ｂ、１１ｃ    第１チップ
１２ａ、１２ｂ、１２ｃ    第２インク収容管
１３ａ、１３ｂ、１３ｃ    第２継手
１４ａ、１４ｂ、１４ｃ    第２チップ
１５ａ、１５ｂ、１５ｃ    内筒
１５５ａ、１５５ｂ、１５５ｃ    外カム
１６ａ、１６ｂ、１６ｃ    ノック棒
１６２ａ、１６２ｂ、１６２ｃ    突起
１６３ａ、１６３ｂ、１６３ｃ    カム面
１７ａ、１７ｂ、１７ｃ    回転子
１７１ａ、１７１ｂ、１７１ｃ    挿入部
１７８    第１カム受け面
１７９ａ、１７９ｂ、１７９ｃ    内カム
２７２    カム突起
２７３    第２カム受け面
２７８ｂ、２７８ｃ    カム受け面
１８ａ、１８ｂ、１８ｃ    スペーサ
１９ａ、１９ｂ、１９ｃ    パイプ部材
２０    伝達部材
２１ａ、２１ｂ、２１ｃ    第１スプリング
２２ａ、２２ｂ、２２ｃ    第２スプリング
【図１】
2018199343.tif 000003
【図２】
2018199343.tif 000004
【図３】
2018199343.tif 000005
【図４】
2018199343.tif 000006
【図５】
2018199343.tif 000007
【図６】
2018199343.tif 000008
【図７】
2018199343.tif 000009
【図８】
2018199343.tif 000010
【図９】
2018199343.tif 000011
【図１０】
2018199343.tif 000012
【図１１】
2018199343.tif 000013
【図１２】
2018199343.tif 000014
【図１３】
2018199343.tif 000015
【図１４】
2018199343.tif 000016
【図１５】
2018199343.tif 000017
【図１６】
2018199343.tif 000018
【図１７】
2018199343.tif 000019
【図１８】
2018199343.tif 000020
【図１９】
2018199343.tif 000021
【図２０】
2018199343.tif 000022
【図２１】
2018199343.tif 000023
【図２２】
2018199343.tif 000024
【図２３】
2018199343.tif 000025
【図２４】
2018199343.tif 000026
【図２５】
2018199343.tif 000027
【図２６】
2018199343.tif 000028
【図２７】
2018199343.tif 000029
【図２８】
2018199343.tif 000030
【図２９】
2018199343.tif 000031
【図３０】
2018199343.tif 000032
【図３１】
2018199343.tif 000033
【図３２】
2018199343.tif 000034
【図３３】
2018199343.tif 000035
【手続補正書】
【提出日】平成30年10月25日(2018.10.25)
【手続補正１】
【補正対象書類名】特許請求の範囲
【補正対象項目名】全文
【補正方法】変更
【補正の内容】
【特許請求の範囲】
【請求項１】
軸筒と、
前記軸筒の径方向中心部において該軸筒内に配設された第１筆記体と、
前記第１筆記体よりも前記軸筒の径方向外側において前記軸筒内に配設された少なくとも二本の第２筆記体と、
前記第１筆記体の後端に配設され、前記第１筆記体を前記軸筒の前端から選択的に突出させるように構成された第１ノック部材と、
前記第２筆記体の後端に配設され、前記第２筆記体を前記軸筒の前端から選択的に突出させるように構成された第２ノック部材と
を備える、多芯式筆記具において、
前記第２筆記体の突出が前記第１ノック部材の操作によって解除されることを特徴とする、多芯式筆記具。
【請求項２】
軸筒と、
前記軸筒の径方向中心部において該軸筒内に配設された第１筆記体と、
前記第１筆記体よりも前記軸筒の径方向外側において前記軸筒内に配設された少なくとも二本の第２筆記体と、
前記第１筆記体の後端に配設され、前記第１筆記体を前記軸筒の前端から選択的に突出させるように構成された第１ノック部材と、
前記第２筆記体の後端に配設され、前記第２筆記体を前記軸筒の前端から選択的に突出させるように構成された第２ノック部材と
を備える、多芯式筆記具において、
前記第１筆記体の突出が前記第２ノック部材の操作によって解除されることを特徴とする、多芯式筆記具。
【請求項３】
前記第２筆記体の突出が、突出していない他の第２筆記体の第２ノック部材の操作によって解除される、請求項１又は２に記載の多芯式筆記具。